(57)【要約】  本出願の実施例は、データスケジューリング方法及びデータ伝送方法、ネットワーク機器、端末並びにコンピュータ記憶媒体を開示する。前記方法は、ネットワーク機器が論理チャネルと物理層サービス識別子との第１のマッピング関係を構成し、又は論理チャネルグループと物理層サービス識別子との第２のマッピング関係を構成することを含む。
2021533655.tif 000002
【特許請求の範囲】
【請求項１】
ネットワーク機器が論理チャネルと物理層サービス識別子との第１のマッピング関係を構成し、又は論理チャネルグループと物理層サービス識別子との第２のマッピング関係を構成することを含むデータスケジューリング方法。
【請求項２】
前記ネットワーク機器が前記第１のマッピング関係に応じてデータの所在する論理チャネルに対応する物理層サービス識別子を決定し、又は、前記ネットワーク機器が前記第２のマッピング関係に応じてデータの所在する論理チャネルグループに対応する物理層サービス識別子を決定することと、
前記ネットワーク機器が前記物理層サービス識別子に対応する第１のダウンリンク制御情報に基づいて前記データをスケジューリングすることと、をさらに含む
請求項１に記載のデータスケジューリング方法。
【請求項３】
前記物理層サービス識別子は、ダウンリンク制御情報をスクランブルするための無線ネットワーク一時的識別子（ＲＮＴＩ）、ダウンリンク制御情報フォーマット、ダウンリンク制御情報によって搬送されるコンテンツを含む
請求項１又は２に記載のデータスケジューリング方法。
【請求項４】
異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる
請求項３に記載のデータスケジューリング方法。
【請求項５】
前記ネットワーク機器が前記第１のマッピング関係及び／又は前記第２のマッピング関係を端末に送信することをさらに含む
請求項１に記載のデータスケジューリング方法。
【請求項６】
前記ネットワーク機器が少なくとも１グループの集約係数パラメータを構成することであって、前記集約係数パラメータがアップリンクデータ／ダウンリンクデータの繰り返し伝送回数を特徴付ける、ことと、
前記ネットワーク機器が前記少なくとも１グループの集約係数パラメータを端末に送信することと、をさらに含む
請求項１に記載のデータスケジューリング方法。
【請求項７】
前記ネットワーク機器が物理層サービス識別子と集約係数パラメータとの第３のマッピング関係を構成すること、又は、
前記ネットワーク機器が物理層サービス識別子グループと集約係数パラメータとの第４のマッピング関係を構成することであって、前記集約係数パラメータが少なくとも１つの物理層サービス識別子を含む、ことをさらに含む
請求項６に記載のデータスケジューリング方法。
【請求項８】
前記ネットワーク機器が物理層サービス識別子と集約係数パラメータとの第３のマッピング関係を構成することは、前記ネットワーク機器が予め定義された方式で物理層サービス識別子と集約係数パラメータとの第３のマッピング関係を構成することを含み、
前記ネットワーク機器が物理層サービス識別子グループと集約係数パラメータとの第４のマッピング関係を構成することは、前記ネットワーク機器が予め定義された方式で物理層サービス識別子グループと集約係数パラメータとの第４のマッピング関係を構成することを含む
請求項７に記載のデータスケジューリング方法。
【請求項９】
端末が論理チャネルと物理層サービス識別子との第１のマッピング関係を構成し、又は論理チャネルグループと物理層サービス識別子との第２のマッピング関係を構成することを含むデータスケジューリング方法。
【請求項１０】
前記端末が受信された第１のダウンリンク制御情報に基づいて対応する第１の物理層サービス識別子を決定することと、
前記端末が前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングすることと、をさらに含む
請求項９に記載のデータスケジューリング方法。
【請求項１１】
前記物理層サービス識別子は、ダウンリンク制御情報をスクランブルするための無線ネットワーク一時的識別子（ＲＮＴＩ）、ダウンリンク制御情報フォーマット、ダウンリンク制御情報によって搬送されるコンテンツを含む
請求項９に記載のデータスケジューリング方法。
【請求項１２】
異なる論理チャネル又は異なる論理チャネルグループは、ダウンリンク制御情報をスクランブルするための異なるＲＮＴＩに対応し、
異なる論理チャネル又は異なる論理チャネルグループに対応するダウンリンク制御情報フォーマットは異なり、
異なる論理チャネル又は異なる論理チャネルグループに対応するダウンリンク制御情報によって搬送されるコンテンツは異なる
請求項１１に記載のデータスケジューリング方法。
【請求項１３】
前記端末が論理チャネルと物理層サービス識別子との第２のマッピング関係を構成することは、
予め約束された方式に基づき、前記端末のために論理チャネルと物理層サービス識別子との第１のマッピング関係を構成することを含み、
論理チャネルグループと物理層サービス識別子との第２のマッピング関係を構成することは、
予め約束された方式に基づき、前記端末のために論理チャネルグループと物理層サービス識別子との第２のマッピング関係を構成することを含む
請求項９に記載のデータスケジューリング方法。
【請求項１４】
前記端末が論理チャネルと物理層サービス識別子との第１のマッピング関係を構成することは、
前記端末がネットワーク機器から送信された第１のマッピング関係を受信することを含み、
論理チャネルグループと物理層サービス識別子との第２のマッピング関係を構成することは、
前記端末がネットワーク機器から送信された第二のマッピング関係を受信することを含む
請求項９に記載のデータスケジューリング方法。
【請求項１５】
前記端末が前記ネットワーク機器から送信された少なくとも１グループの集約係数パラメータを受信することであって、前記集約係数がアップリンクデータ／ダウンリンクデータの繰り返し伝送回数を特徴付けることをさらに含む
請求項９に記載のデータスケジューリング方法。
【請求項１６】
前記端末が物理層サービス識別子と集約係数パラメータとの第３のマッピング関係を構成すること、又は、
前記端末が物理層サービス識別子グループと集約係数パラメータとの第４のマッピング関係を構成することであって、前記物理層サービス識別子グ少なくとも１つの物理層サービス識別子を含む、ことをさらに含む
請求項１５に記載のデータスケジューリング方法。
【請求項１７】
前記端末が物理層サービス識別子と集約係数パラメータとの第３のマッピング関係を構成することは、前記端末が予め定義された方式で物理層サービス識別子と集約係数パラメータとの第３のマッピング関係を構成することを含み、
前記端末が物理層サービス識別子グループと集約係数パラメータとの第４のマッピング関係を構成することは、前記端末が予め定義された方式で物理層サービス識別子グループと集約係数パラメータとの第４のマッピング関係を構成することを含む
請求項１６に記載のデータスケジューリング方法。
【請求項１８】
前記端末が受信された第２のダウンリンク制御情報に基づいて対応する第２の物理層サービス識別子を決定することと、
前記端末が前記第３のマッピング関係又は前記第４のマッピング関係に応じて前記第２の物理層サービス識別子に対応する第１の集約係数パラメータを決定することと、
前記端末が前記第１の集約係数パラメータに基づいてデータを伝送することと、をさらに含む
請求項１６又は１７に記載のデータスケジューリング方法。
【請求項１９】
異なる集約係数パラメータは、ダウンリンク制御情報をスクランブルするための異なるＲＮＴＩに対応し、
異なる集約係数パラメータに対応するダウンリンク制御情報フォーマットは異なり、
異なる集約係数パラメータに対応するダウンリンク制御情報によって搬送されるコンテンツは異なる
請求項１５から１７のいずれか一項に記載のデータスケジューリング方法。
【請求項２０】
ネットワーク機器が物理層サービス識別子と集約係数パラメータとの第３のマッピング関係を構成し、又は物理層サービス識別子グループと集約係数パラメータとの第４のマッピング関係を構成することを含み、
前記集約係数パラメータは、アップリンクデータ／ダウンリンクデータの繰り返し伝送回数を特徴付け、前記物理層サービス識別子グループは、少なくとも１つの物理層サービス識別子を含むデータ伝送方法。
【請求項２１】
前記ネットワーク機器が物理層サービス識別子と集約係数パラメータとの第３のマッピング関係を構成し、又は物理層サービス識別グループと集約係数パラメータとの第４のマッピング関係を構成する前に、
前記ネットワーク機器が少なくとも１グループの集約係数パラメータを構成することと、
前記ネットワーク機器が前記少なくとも１グループの集約係数パラメータを端末に送信することと、をさらに含む
請求項２０に記載のデータ伝送方法。
【請求項２２】
前記ネットワーク機器が物理層サービス識別子と集約係数パラメータとの第３のマッピング関係を構成することは、前記ネットワーク機器が予め定義された方式で物理層サービス識別子と集約係数パラメータとの第３のマッピング関係を構成することを含み、
前記ネットワーク機器が物理層サービス識別子グループと集約係数パラメータとの第４のマッピング関係を構成することは、前記ネットワーク機器が予め定義された方式で物理層サービス識別子グループと集約係数パラメータとの第４のマッピング関係を構成することを含む
請求項２０に記載のデータ伝送方法。
【請求項２３】
前記ネットワーク機器が論理チャネルと物理層サービス識別子との第１のマッピング関係を構成し、又は論理チャネルグループと物理層サービス識別子との第２のマッピング関係を構成することをさらに含む
請求項２０に記載のデータ伝送方法。
【請求項２４】
前記ネットワーク機器が前記第１のマッピング関係に応じてデータの所在する論理チャネルに対応する物理層サービス識別子を決定すること、又は、前記ネットワーク機器が前記第２のマッピング関係に応じてデータの所在する論理チャネルグループに対応する物理層サービス識別子を決定することと、
前記ネットワーク機器が前記物理層サービス識別子に対応する第１のダウンリンク制御情報に基づいて前記データをスケジューリングすることと、をさらに含む
請求項２３に記載のデータ伝送方法。
【請求項２５】
前記物理層サービス識別子は、ダウンリンク制御情報をスクランブルするための無線ネットワーク一時的識別子（ＲＮＴＩ）、ダウンリンク制御情報フォーマット、ダウンリンク制御情報によって搬送されるコンテンツを含む
請求項２０から２４のいずれか一項に記載のデータ伝送方法。
【請求項２６】
異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる
請求項２５に記載のデータ伝送方法。
【請求項２７】
前記ネットワーク機器が前記第１のマッピング関係及び／又は前記第２のマッピング関係を端末に送信することをさらに含む
請求項２３又は２４に記載のデータ伝送方法。
【請求項２８】
端末が物理層サービス識別子と集約係数パラメータとの第３のマッピング関係を構成し、又は物理層サービス識別子グループと集約係数パラメータとの第４のマッピング関係を構成することを含み、
前記集約係数パラメータは、アップリンクデータ／ダウンリンクデータの繰り返し伝送回数を特徴付け、前記物理層サービス識別子グループは、少なくとも１つの物理層サービス識別子を含むデータ伝送方法。
【請求項２９】
前記端末が物理層サービス識別子と集約係数パラメータとの第３のマッピング関係を構成し、又は物理層サービス識別グループと集約係数パラメータとの第４のマッピング関係を構成する前に、
前記端末が前記ネットワーク機器から送信された少なくとも１グループの集約係数パラメータを受信することをさらに含む
請求項２８に記載のデータ伝送方法。
【請求項３０】
前記端末が物理層サービス識別子と集約係数パラメータとの第３のマッピング関係を構成することは、前記端末が予め定義された方式で物理層サービス識別子と集約係数パラメータとの第３のマッピング関係を構成することを含み、
前記端末が物理層サービス識別子グループと集約係数パラメータとの第４のマッピング関係を構成することは、前記端末が予め定義された方式で物理層サービス識別子グループと集約係数パラメータとの第４のマッピング関係を構成することを含む
請求項２８に記載のデータ伝送方法。
【請求項３１】
前記端末が受信された第２のダウンリンク制御情報に基づいて対応する第２の物理層サービス識別子を決定することと、
前記端末が前記第３のマッピング関係又は前記第４のマッピング関係に応じて前記第２の物理層サービス識別子に対応する第１の集約係数パラメータを決定することと、
前記端末が前記第１の集約係数パラメータに基づいてデータを伝送することと、をさらに含む
請求項２８に記載のデータ伝送方法。
【請求項３２】
前記物理層サービス識別子は、ダウンリンク制御情報をスクランブルするための無線ネットワーク一時的識別子（ＲＮＴＩ）、ダウンリンク制御情報フォーマット、ダウンリンク制御情報によって搬送されるコンテンツを含む
請求項２８から３１のいずれか一項に記載のデータ伝送方法。
【請求項３３】
異なる集約係数パラメータは、ダウンリンク制御情報をスクランブルするための異なるＲＮＴＩに対応し、
異なる集約係数パラメータに対応するダウンリンク制御情報フォーマットは異なり、
異なる集約係数パラメータに対応するダウンリンク制御情報によって搬送されるコンテンツは異なる
請求項３２に記載のデータ伝送方法。
【請求項３４】
前記端末が論理チャネルと物理層サービス識別子との第１のマッピング関係を構成し、又は論理チャネルグループと物理層サービス識別子との第２のマッピング関係を構成することをさらに含む
請求項２８に記載のデータ伝送方法。
【請求項３５】
前記端末が受信された第１のダウンリンク制御情報に基づいて対応する第１の物理層サービス識別子を決定することと、
前記端末が前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングすることと、をさらに含む
請求項３４に記載のデータ伝送方法。
【請求項３６】
異なる論理チャネル又は異なる論理チャネルグループは、ダウンリンク制御情報をスクランブルするための異なるＲＮＴＩに対応し、
異なる論理チャネル又は異なる論理チャネルグループに対応するダウンリンク制御情報フォーマットは異なり、
異なる論理チャネル又は異なる論理チャネルグループに対応するダウンリンク制御情報によって搬送されるコンテンツは異なる
請求項３４に記載のデータ伝送方法。
【請求項３７】
前記端末が論理チャネルと物理層サービス識別子との第１のマッピング関係を構成することは、
予め約束された方式に基づき、前記端末のために論理チャネルと物理層サービス識別子との第１のマッピング関係を構成することを含み、
論理チャネルグループと物理層サービス識別子との第２のマッピング関係を構成することは、
予め約束された方式に基づき、前記端末のために論理チャネルグループと物理層サービス識別子との第２のマッピング関係を構成することを含む
請求項３４に記載のデータ伝送方法。
【請求項３８】
前記端末が論理チャネルと物理層サービス識別子との第１のマッピング関係を構成することは、
前記端末がネットワーク機器から送信された第１のマッピング関係を受信することを含み、
論理チャネルグループと物理層サービス識別子との第２のマッピング関係を構成することは、
前記端末がネットワーク機器から送信された第二のマッピング関係を受信することを含む
請求項３４に記載のデータ伝送方法。
【請求項３９】
論理チャネルと物理層サービス識別子との第１のマッピング関係を構成し、又は論理チャネルグループと物理層サービス識別子との第２のマッピング関係を構成するように構成される第１の構成ユニットを備えるネットワーク機器。
【請求項４０】
前記ネットワーク機器はさらに、
前記第１のマッピング関係に応じてデータの所在する論理チャネルに対応する物理層サービス識別子を決定し、又は、前記第２のマッピング関係に応じてデータの所在する論理チャネルグループに対応する物理層サービス識別子を決定するように構成される第１の決定ユニットと、
前記物理層サービス識別子に対応する第１のダウンリンク制御情報に基づいて前記データをスケジューリングするように構成される第１のスケジューリングユニットと、を備える
請求項３９に記載のネットワーク機器。
【請求項４１】
前記物理層サービス識別子は、ダウンリンク制御情報をスクランブルするための無線ネットワーク一時的識別子（ＲＮＴＩ）、ダウンリンク制御情報フォーマット、ダウンリンク制御情報によって搬送されるコンテンツを含む
請求項３９又は４０に記載のネットワーク機器。
【請求項４２】
異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる
請求項４１に記載のネットワーク機器。
【請求項４３】
前記ネットワーク機器はさらに前記第１のマッピング関係及び／又は前記第２のマッピング関係を端末に送信するように構成される第１の送信ユニットを備える
請求項３９に記載のネットワーク機器。
【請求項４４】
前記ネットワーク機器はさらに第１の送信ユニットを備え、
前記第１の構成ユニットは、少なくとも１グループの集約係数パラメータを構成するように構成され、前記集約係数がアップリンクデータ／ダウンリンクデータの繰り返し伝送回数を特徴付け、
前記第１の送信ユニットは、前記少なくとも１グループの集約係数パラメータを端末に送信するように構成される
請求項３９に記載のネットワーク機器。
【請求項４５】
前記第１の構成ユニットは、さらに物理層サービス識別子と集約係数パラメータとの第３のマッピング関係を構成し、又は物理層サービス識別子グループと集約係数パラメータとの第４のマッピング関係を構成するように構成され、ここで、前記物理層サービス識別子グループが少なくとも１つの物理層サービス識別子を含む
請求項４４に記載のネットワーク機器。
【請求項４６】
前記第１の構成ユニットは、予め定義された方式で物理層サービス識別子と集約係数パラメータとの第３のマッピング関係を構成し、又は予め定義された方式で物理層サービス識別子グループと集約係数パラメータとの第４のマッピング関係を構成するように構成される
請求項４５に記載のネットワーク機器。
【請求項４７】
物理層サービス識別子と集約係数パラメータとの第３のマッピング関係を構成し、又は物理層サービス識別子グループと集約係数パラメータとの第４のマッピング関係を構成するように構成される第２の構成ユニットと、を備え、
前記集約係数パラメータは、アップリンクデータ／ダウンリンクデータの繰り返し伝送回数を特徴付け、前記物理層サービス識別子グループは、少なくとも１つの物理層サービス識別子を含むネットワーク機器。
【請求項４８】
前記ネットワーク機器はさらに第２の送信ユニットを備え、
前記第２の構成ユニットは、さらに前記物理層サービス識別子と集約係数パラメータとの第３のマッピング関係を構成し、又は物理層サービス識別子グループと集約係数パラメータとの第４のマッピング関係を構成する前に、少なくとも１グループの集約係数パラメータを構成するように構成され、
前記第２の送信ユニットは、前記少なくとも１グループの集約係数パラメータを端末に送信するように構成される
請求項４７に記載のネットワーク機器。
【請求項４９】
前記第２の構成ユニットは、予め定義された方式で物理層サービス識別子と集約係数パラメータとの第３のマッピング関係を構成するように構成され、又は予め定義された方式で物理層サービス識別子グループと集約係数パラメータとの第４のマッピング関係を構成するように構成される
請求項４７に記載のネットワーク機器。
【請求項５０】
前記第２の構成ユニットは、さらに論理チャネルと物理層サービス識別子との第１のマッピング関係を構成し、又は論理チャネルグループと物理層サービス識別子との第２のマッピング関係を構成するように構成される
請求項４７に記載のネットワーク機器。
【請求項５１】
前記ネットワーク機器はさらに、
前記第１のマッピング関係に応じてデータの所在する論理チャネルに対応する物理層サービス識別子を決定し、又は、前記第２のマッピング関係に応じてデータの所在する論理チャネルグループに対応する物理層サービス識別子を決定するように構成される第２の決定ユニットと、
前記物理層サービス識別子に対応する第１のダウンリンク制御情報に基づいて前記データをスケジューリングするように構成される第２のスケジューリングユニットと、を備える
請求項５０に記載のネットワーク機器。
【請求項５２】
前記物理層サービス識別子は、ダウンリンク制御情報をスクランブルするための無線ネットワーク一時的識別子（ＲＮＴＩ）、ダウンリンク制御情報フォーマット、ダウンリンク制御情報によって搬送されるコンテンツを含む
請求項４７から５１のいずれか一項に記載のネットワーク機器。
【請求項５３】
異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる
請求項５２に記載のネットワーク機器。
【請求項５４】
前記前記ネットワーク機器はさらに、前記第１のマッピング関係及び／又は前記第２のマッピング関係を端末に送信するように構成される第２の送信ユニットを備える
請求項５０又は５１に記載のネットワーク機器。
【請求項５５】
論理チャネルと物理層サービス識別子との第１のマッピング関係を構成し、又は論理チャネルグループと物理層サービス識別子との第２のマッピング関係を構成するように構成される第３の構成ユニットを備える端末。
【請求項５６】
前記端末はさらに、
受信された第１のダウンリンク制御情報に基づいて対応する第１の物理層サービス識別子を決定するように構成される第３の決定ユニットと、
前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングするように構成される第１のデータマッピングユニットと、を備える
請求項５５に記載の端末。
【請求項５７】
前記物理層サービス識別子は、ダウンリンク制御情報をスクランブルするための無線ネットワーク一時的識別子（ＲＮＴＩ）、ダウンリンク制御情報フォーマット、ダウンリンク制御情報によって搬送されるコンテンツを含む
請求項５５に記載の端末。
【請求項５８】
異なる論理チャネル又は異なる論理チャネルグループは、ダウンリンク制御情報をスクランブルするための異なるＲＮＴＩに対応し、
異なる論理チャネル又は異なる論理チャネルグループに対応するダウンリンク制御情報フォーマットは異なり、
異なる論理チャネル又は異なる論理チャネルグループに対応するダウンリンク制御情報によって搬送されるコンテンツは異なる
請求項５７に記載の端末。
【請求項５９】
前記第３の構成ユニットは、予め約束された方式に基づき、前記端末のために論理チャネルと物理層サービス識別子との第１のマッピング関係を構成し、又は予め約束された方式に基づき、前記端末のために論理チャネルグループと物理層サービス識別子との第２のマッピング関係を構成するように構成される
請求項５５に記載の端末。
【請求項６０】
前記第３の構成ユニットは、ネットワーク機器から送信された第１のマッピング関係を受信するように構成され、又はネットワーク機器から送信された第２のマッピング関係を受信するように構成される
請求項５５に記載の端末。
【請求項６１】
前記端末はさらに、前記ネットワーク機器から送信された少なくとも１グループの集約係数パラメータを受信するように構成され、前記集約係数パラメータがアップリンクデータ／ダウンリンクデータの繰り返し伝送回数を特徴付ける第１の伝送ユニットを備える
請求項５５に記載の端末。
【請求項６２】
前記第３の構成ユニットは、さらに物理層サービス識別子と集約係数パラメータとの第３のマッピング関係を構成し、又は物理層サービス識別子グループと集約係数パラメータとの第４のマッピング関係を構成するように構成され、ここで、前記物理層サービス識別子グループが少なくとも１つの物理層サービス識別子を含む
請求項６１に記載の端末。
【請求項６３】
前記第３の構成ユニットは、予め定義された方式で物理層サービス識別子と集約係数パラメータとの第３のマッピング関係を構成し、又は予め定義された方式で物理層サービス識別子グループと集約係数パラメータとの第４のマッピング関係を構成するように構成される
請求項６２に記載の端末。
【請求項６４】
前記端末はさらに、
受信された第２のダウンリンク制御情報に基づいて対応する第２の物理層サービス識別子を決定し、前記第３のマッピング関係又は前記第４のマッピング関係に応じて前記第２の物理層サービス識別子に対応する第１の集約係数パラメータを決定するように構成される第３の決定ユニットと、
前記第１の集約係数パラメータに基づいてデータを伝送するように構成される第１の伝送ユニットと、を備える
請求項６２又は６３に記載の端末。
【請求項６５】
異なる集約係数パラメータは、ダウンリンク制御情報をスクランブルするための異なるＲＮＴＩに対応し、
異なる集約係数パラメータに対応するダウンリンク制御情報フォーマットは異なり、
異なる集約係数パラメータに対応するダウンリンク制御情報によって搬送されるコンテンツは異なる請求項６１−６３のいずれか一項に記載の端末。
【請求項６６】
物理層サービス識別子と集約係数パラメータとの第３のマッピング関係を構成し、又は物理層サービス識別子グループと集約係数パラメータとの第４のマッピング関係を構成するように構成される第４の構成ユニットを備え、
前記集約係数パラメータは、アップリンクデータ／ダウンリンクデータの繰り返し伝送回数を特徴付け、前記物理層サービス識別子グループは、少なくとも１つの物理層サービス識別子を含む端末。
【請求項６７】
前記端末はさらに、前記第４の構成ユニットが物理層サービス識別子と集約係数パラメータとの第３のマッピング関係を構成し、又は物理層サービス識別子グループと集約係数パラメータとの第４のマッピング関係を構成する前に、前記ネットワーク機器から送信された少なくとも１グループの集約係数パラメータを受信するように構成される第２の伝送ユニットと、を備える
請求項６６に記載の端末。
【請求項６８】
前記第４の構成ユニットは、予め定義された方式で物理層サービス識別子と集約係数パラメータとの第３のマッピング関係を構成するように構成され、又は予め定義された方式で物理層サービス識別子グループと集約係数パラメータとの第４のマッピング関係を構成するように構成される
請求項６６に記載の端末。
【請求項６９】
前記端末はさらに、
受信された第２のダウンリンク制御情報に基づいて対応する第２の物理層サービス識別子を決定し、前記第３のマッピング関係又は前記第４のマッピング関係に応じて前記第２の物理層サービス識別子に対応する第１の集約係数パラメータを決定するように構成される第４の決定ユニットと、
前記第１の集約係数パラメータに基づいてデータを伝送するように構成される第２の伝送ユニットと、を備える
請求項６６に記載の端末。
【請求項７０】
前記物理層サービス識別子は、ダウンリンク制御情報をスクランブルするための無線ネットワーク一時的識別子（ＲＮＴＩ）、ダウンリンク制御情報フォーマット、ダウンリンク制御情報によって搬送されるコンテンツを含む
請求項６６から６９のいずれか一項に記載の端末。
【請求項７１】
異なる集約係数パラメータは、ダウンリンク制御情報をスクランブルするための異なるＲＮＴＩに対応し、
異なる集約係数パラメータに対応するダウンリンク制御情報フォーマットは異なり、
異なる集約係数パラメータに対応するダウンリンク制御情報によって搬送されるコンテンツは異なる
請求項７０に記載の端末。
【請求項７２】
前記第４の構成ユニットは、さらに論理チャネルと物理層サービス識別子との第１のマッピング関係を構成し、又は論理チャネルグループと物理層サービス識別子との第２のマッピング関係を構成するように構成される
請求項６６に記載の端末。
【請求項７３】
前記端末はさらに、
受信された第１のダウンリンク制御情報に基づいて対応する第１の物理層サービス識別子を決定するように構成される第４の決定ユニットと、
前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングするように構成される第２のデータマッピングユニットと、を備える
請求項７２に記載の端末。
【請求項７４】
異なる論理チャネル又は異なる論理チャネルグループは、ダウンリンク制御情報をスクランブルするための異なるＲＮＴＩに対応し、
異なる論理チャネル又は異なる論理チャネルグループに対応するダウンリンク制御情報フォーマットは異なり、
異なる論理チャネル又は異なる論理チャネルグループに対応するダウンリンク制御情報によって搬送されるコンテンツは異なる
請求項７２に記載の端末。
【請求項７５】
前記第４の構成ユニットは、予め約束された方式に基づき、前記端末のために論理チャネルと物理層サービス識別子との第１のマッピング関係を構成するように構成され、又は予め約束された方式に基づき、前記端末のために論理チャネルグループと物理層サービス識別子との第２のマッピング関係を構成するように構成される
請求項７２に記載の端末。
【請求項７６】
前記第４の構成ユニットは、さらにネットワーク機器から送信された第１のマッピング関係を受信するように構成され、又はネットワーク機器から送信された第２のマッピング関係を受信するように構成される
請求項７２に記載の端末。
【請求項７７】
コンピュータに、請求項１から８のいずれか一項に記載のデータスケジューリング方法、又は、請求項９から１９のいずれか一項に記載のデータスケジューリング方法、又は、請求項２０から２７のいずれか一項に記載のデータ伝送方法、又は、請求項２８から３８のいずれか一項に記載のデータ伝送方法を実行させるためのコンピュータプログラムを記憶したコンピュータ可読記憶媒体。
【請求項７８】
メモリと、プロセッサと、メモリに記憶されかつプロセッサで実行可能なコンピュータプログラムと、を備えるネットワーク機器であって、
前記プロセッサは、前記プログラムを実行して、請求項１から８のいずれか一項に記載のデータスケジューリング方法、又は請求項２０から２７のいずれか一項に記載のデータ伝送方法を実現するように構成されるネットワーク機器。
【請求項７９】
メモリと、プロセッサと、メモリに記憶され且つプロセッサで実行可能なコンピュータプログラムと、を備える端末であって、
前記プロセッサは、前記プログラムを実行して、請求項９から１９のいずれか一項に記載のデータスケジューリング方法、又は請求項２８から３８のいずれか一項に記載のデータ伝送方法を実現するように構成される端末。
【発明の詳細な説明】
【技術分野】
【０００１】
（関連出願への相互参照）
本出願は、出願番号が２０１８１０８８７０６７．Ｘで、出願日が２０１８年８月６日である中国特許に基づいて提案され、当該中国特許出願の優先権を主張し、当該中国特許の全ての内容がここで参照により本出願に組み込まれる。
【０００２】
本出願は、無線通信技術に関し、具体的にはデータスケジューリング方法及びデータ伝送方法、ネットワーク機器、端末並びにコンピュータ記憶媒体に関する。
【背景技術】
【０００３】
一方、論理チャネル構成では、論理チャネルの識別子（ＩＤ）、優先度、及び論理チャネルのいくつかのリソースの使用及びスケジューリングの制限が構成されている。論理チャネルの優先度がサービスの優先度をある程度反映しているため、優先度の高い論理チャネルのデータは、優先的に媒体アアクセス制御プロトコルデータユニット（ＭＡＣ  ＰＤＵ：Ｍｅｄｉａ  Ａｃｃｅｓｓ  Ｃｏｎｔｒｏｌ  Ｐｒｏｔｏｃｏｌ  Ｄａｔａ  Ｕｎｉｔ）に含まれる。しかしながら、どのように論理チャネルと物理層サービス識別子とのマッピング関係を決定するかは、現在まで効果的な解決策がない。
【０００４】
もう一方では、新しい無線（ＮＲ：Ｎｅｗ  Ｒａｄｉｏ）は、マルチスロット（ｍｕｌｔｉ−ｓｌｏｔ）スケジューリングをサポートし、例えば、アップリンク／ダウンリンクでマルチスロット（ｍｕｌｔｉ−ｓｌｏｔ）スケジューリングを行う時に、１つの伝送ブロック（ＴＢ：Ｔｒａｎｓｐｏｒｔ  Ｂｌｏｃｋ）は、構成に応じて複数回伝送されてもよい。このマルチスロット（ｍｕｌｔｉ−ｓｌｏｔ）スケジューリングでは、サービスが区別されなく、即ち移動帯域幅強化型（ｅＭＢＢ：Ｅｎｈａｎｃｅ  Ｍｏｂｉｌｅ  Ｂｒｏａｄｂａｎｄ）サービス又は超高信頼性・低遅延通信（ＵＲＬＬＣ：Ｕｌｔｒａ  Ｒｅｌｉａｂｌｅ  Ｌｏｗ  Ｌａｔｅｎｃｙ  Ｃｏｍｍｕｎｉｃａｔｉｏｎ）サービスに関わらず、マルチスロットスケジューリングが構成されている場合、ＴＢの伝送回数は、同じであり、しかし、ＵＲＬＬＣサービスとｅＭＢＢサービスの信頼性要件が異なるため、現在のマルチスロットスケジューリング方式は、異なるサービスのニーズを満たすことができない。
【発明の概要】
【発明が解決しようとする課題】
【０００５】
既存の技術的問題を解決するために、本出願の実施例は、データスケジューリング方法及びデータ伝送方法、ネットワーク機器、端末並びにコンピュータ記憶媒体を提供する。
【課題を解決するための手段】
【０００６】
上記の目的を達成するために、本出願の実施例の技術的解決策は、次のように実現される。
【０００７】
本出願の実施例によるデータスケジューリング方法は、
ネットワーク機器が論理チャネルと物理層サービス識別子との第１のマッピング関係を構成し、又は論理チャネルグループと物理層サービス識別子との第２のマッピング関係を構成することを含む。
【０００８】
本出願の１つの選択可能な実施例では、前記方法は、さらに、
前記ネットワーク機器が前記第１のマッピング関係に応じてデータの所在する論理チャネルに対応する物理層サービス識別子を決定すること、又は、前記ネットワーク機器が前記第２のマッピング関係に応じてデータの所在する論理チャネルグループに対応する物理層サービス識別子を決定することと、
前記ネットワーク機器が前記物理層サービス識別子に対応する第１のダウンリンク制御情報に基づいて前記データをスケジューリングすることと、を含む。
【０００９】
本出願の１つの選択可能な実施例では、前記物理層サービス識別子は、ダウンリンク制御情報をスクランブルするための無線ネットワーク一時的識別子（ＲＮＴＩ：Ｒａｄｉｏ  Ｎｅｔｗｏｒｋ  Ｔｅｍｐｏｒｙ  Ｉｄｅｎｔｉｔｙ）、ダウンリンク制御情報フォーマット、ダウンリンク制御情報によって搬送されるコンテンツを含む。
【００１０】
本出願の１つの選択可能な実施例では、異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる。
【００１１】
本出願の１つの選択可能な実施例では、前記方法は、さらに前記ネットワーク機器が前記第１のマッピング関係及び／又は前記第２のマッピング関係を端末に送信することを含む。
【００１２】
本出願の１つの選択可能な実施例では、前記方法は、さらに、前記ネットワーク機器が少なくとも１グループの集約係数パラメータを構成することであって、前記集約係数パラメータがアップリンクデータ／ダウンリンクデータの繰り返し伝送回数を特徴付けることと、
前記ネットワーク機器が前記少なくとも１グループの集約係数パラメータを端末に送信することと、を含む。
【００１３】
本出願の１つの選択可能な実施例では、前記方法は、さらに前記ネットワーク機器が物理層サービス識別子と集約係数パラメータとの第３のマッピング関係を構成すること、又は、
前記ネットワーク機器が物理層サービス識別子グループと集約係数パラメータとの第４のマッピング関係を構成することであって、前記集約係数パラメータが少なくとも１つの物理層サービス識別子を含むことを含む。
【００１４】
本出願の１つの選択可能な実施例では、前記ネットワーク機器が物理層サービス識別子と集約係数パラメータとの第３のマッピング関係を構成することは、前記ネットワーク機器が予め定義された方式で物理層サービス識別子と集約係数パラメータとの第３のマッピング関係を構成することを含み、
前記ネットワーク機器が物理層サービス識別子グループと集約係数パラメータとの第４のマッピング関係を構成することは、前記ネットワーク機器が予め定義された方式で物理層サービス識別子グループと集約係数パラメータとの第４のマッピング関係を構成することを含む。
【００１５】
本出願の実施例によるデータスケジューリング方法は、
端末が論理チャネルと物理層サービス識別子との第１のマッピング関係を構成し、又は論理チャネルグループと物理層サービス識別子との第２のマッピング関係を構成することを含む。
【００１６】
本出願の１つの選択可能な実施例では、前記方法は、さらに、前記端末が受信された第１のダウンリンク制御情報に基づいて対応する第１の物理層サービス識別子を決定することと、
前記端末が前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングすることと、を含む。
【００１７】
本出願の１つの選択可能な実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【００１８】
本出願の１つの選択可能な実施例では、異なる論理チャネル又は異なる論理チャネルグループは、ダウンリンク制御情報をスクランブルするための異なるＲＮＴＩに対応し、
異なる論理チャネル又は異なる論理チャネルグループに対応するダウンリンク制御情報フォーマットは異なり、
異なる論理チャネル又は異なる論理チャネルグループに対応するダウンリンク制御情報によって搬送されるコンテンツは異なる。
【００１９】
本出願の１つの選択可能な実施例では、前記端末が論理チャネルと物理層サービス識別子との第１のマッピング関係を構成することは、予め約束された方式に基づき、前記端末のために論理チャネルと物理層サービス識別子との第１のマッピング関係を構成することを含み、
前記論理チャネルグループと物理層サービス識別子との第２のマッピング関係を構成することは、
予め約束された方式に基づき、前記端末のために論理チャネルグループと物理層サービス識別子との第２のマッピング関係を構成することを含む。
【００２０】
本出願の１つの選択可能な実施例では、端末が論理チャネルと物理層サービス識別子との第１のマッピング関係を構成することは、前記端末がネットワーク機器から送信された第１のマッピング関係を受信することを含み、
論理チャネルグループと物理層サービス識別子との第２のマッピング関係を構成することは、
前記端末がネットワーク機器から送信された第二のマッピング関係を受信することを含む。
【００２１】
本出願の１つの選択可能な実施例では、前記方法は、さらに、
前記端末が前記ネットワーク機器から送信された少なくとも１グループの集約係数パラメータを受信することであって、前記集約係数がアップリンクデータ／ダウンリンクデータの繰り返し伝送回数を特徴付けることを含む。
【００２２】
本出願の１つの選択可能な実施例では、前記方法は、さらに、
前記端末が物理層サービス識別子と集約係数パラメータとの第３のマッピング関係を構成すること、又は、
前記端末が物理層サービス識別子グループと集約係数パラメータとの第４のマッピング関係を構成することであって、前記集約係数パラメータが少なくとも１つの物理層サービス識別子を含むことを含む。
【００２３】
本出願の１つの選択可能な実施例では、前記端末が物理層サービス識別子と集約係数パラメータとの第３のマッピング関係を構成することは、前記端末が予め定義された方式で物理層サービス識別子と集約係数パラメータとの第３のマッピング関係を構成することを含み、
前記端末が物理層サービス識別子グループと集約係数パラメータとの第４のマッピング関係を構成することは、前記端末が予め定義された方式で物理層サービス識別子グループと集約係数パラメータとの第４のマッピング関係を構成することを含む。
【００２４】
本出願の１つの選択可能な実施例では、前記方法は、さらに、前記端末が受信された第２のダウンリンク制御情報に基づいて対応する第２の物理層サービス識別子を決定することと、
前記端末が前記第３のマッピング関係又は前記第４のマッピング関係に応じて前記第２の物理層サービス識別子に対応する第１の集約係数パラメータを決定することと、
前記端末が前記第１の集約係数パラメータに基づいてデータを伝送することと、を含む。
【００２５】
本出願の１つの選択可能な実施例では、異なる集約係数パラメータは、ダウンリンク制御情報をスクランブルするための異なるＲＮＴＩに対応し、
異なる集約係数パラメータに対応するダウンリンク制御情報フォーマットは異なり、
異なる集約係数パラメータに対応するダウンリンク制御情報によって搬送されるコンテンツは異なる。
【００２６】
本出願の実施例によるデータ伝送方法は、
ネットワーク機器が物理層サービス識別子と集約係数パラメータとの第３のマッピング関係を構成し、又は物理層サービス識別子グループと集約係数パラメータとの第４のマッピング関係を構成することを含み、
ここで、前記集約係数パラメータは、アップリンクデータ／ダウンリンクデータの繰り返し伝送回数を特徴付け、前記物理層サービス識別子グループは、少なくとも１つの物理層サービス識別子を含む。
【００２７】
本出願の１つの選択可能な実施例では、前記ネットワーク機器が物理層サービス識別子と集約係数パラメータとの第３のマッピング関係を構成し、又は物理層サービス識別子グループと集約係数パラメータとの第４のマッピング関係を構成する前に、前記方法は、さらに、
前記ネットワーク機器が少なくとも１グループの集約係数パラメータを構成することと、
前記ネットワーク機器が前記少なくとも１グループの集約係数パラメータを端末に送信することと、を含む。
【００２８】
本出願の１つの選択可能な実施例では、前記ネットワーク機器が物理層サービス識別子と集約係数パラメータとの第３のマッピング関係を構成することは、前記ネットワーク機器が予め定義された方式で物理層サービス識別子と集約係数パラメータとの第３のマッピング関係を構成することを含み、
前記ネットワーク機器が物理層サービス識別子グループと集約係数パラメータとの第４のマッピング関係を構成することは、前記ネットワーク機器が予め定義された方式で物理層サービス識別子グループと集約係数パラメータとの第４のマッピング関係を構成することを含む。
【００２９】
本出願の１つの選択可能な実施例では、前記方法は、さらに、ネットワーク機器が論理チャネルと物理層サービス識別子との第１のマッピング関係を構成し、又は論理チャネルグループと物理層サービス識別子との第２のマッピング関係を構成することを含む。
【００３０】
本出願の１つの選択可能な実施例では、前記方法は、さらに、
ネットワーク機器が前記第１のマッピング関係に応じてデータの所在する論理チャネルに対応する物理層サービス識別子を決定すること、又は、前記ネットワーク機器が前記第２のマッピング関係に応じてデータの所在する論理チャネルグループに対応する物理層サービス識別子を決定することと、
前記ネットワーク機器が前記物理層サービス識別子に対応する第１のダウンリンク制御情報に基づいて前記データをスケジューリングすることと、を含む。
【００３１】
本出願の１つの選択可能な実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【００３２】
本出願の１つの選択可能な実施例では、異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる。
【００３３】
本出願の１つの選択可能な実施例では、前記方法は、さらに前記ネットワーク機器が前記第１のマッピング関係及び／又は前記第２のマッピング関係を端末に送信することを含む。
【００３４】
本出願の実施例によるデータ伝送方法は、
端末が物理層サービス識別子と集約係数パラメータとの第３のマッピング関係を構成し、又は物理層サービス識別子グループと集約係数パラメータとの第４のマッピング関係を構成することを含み、
ここで、前記集約係数パラメータは、アップリンクデータ／ダウンリンクデータの繰り返し伝送回数を特徴付け、前記物理層サービス識別子グループは、少なくとも１つの物理層サービス識別子を含む。
【００３５】
本出願の１つの選択可能な実施例では、前記端末が物理層サービス識別子と集約係数パラメータとの第３のマッピング関係を構成し、又は物理層サービス識別子グループと集約係数パラメータとの第４のマッピング関係を構成する前に、前記方法は、さらに、
前記端末が前記ネットワーク機器から送信された少なくとも１グループの集約係数パラメータを受信することと、を含む。
【００３６】
本出願の１つの選択可能な実施例では、前記端末が物理層サービス識別子と集約係数パラメータとの第３のマッピング関係を構成することは、前記端末が予め定義された方式で物理層サービス識別子と集約係数パラメータとの第３のマッピング関係を構成することを含む。
【００３７】
前記端末が物理層サービス識別子グループと集約係数パラメータとの第４のマッピング関係を構成することは、前記端末が予め定義された方式で物理層サービス識別子グループと集約係数パラメータとの第４のマッピング関係を構成することを含む。
【００３８】
本出願の１つの選択可能な実施例では、前記方法は、さらに、前記端末が受信された第２のダウンリンク制御情報に基づいて対応する第２の物理層サービス識別子を決定することと、
前記端末が前記第３のマッピング関係又は前記第４のマッピング関係に応じて前記第２の物理層サービス識別子に対応する第１の集約係数パラメータを決定することと、
前記端末が前記第１の集約係数パラメータに基づいてデータを伝送することと、を含む。
【００３９】
本出願の１つの選択可能な実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【００４０】
本出願の１つの選択可能な実施例では、異なる集約係数パラメータは、ダウンリンク制御情報をスクランブルするための異なるＲＮＴＩに対応し、
異なる集約係数パラメータに対応するダウンリンク制御情報フォーマットは異なり、
異なる集約係数パラメータに対応するダウンリンク制御情報によって搬送されるコンテンツは異なる。
【００４１】
本出願の１つの選択可能な実施例では、前記方法は、さらに、前記端末が論理チャネルと物理層サービス識別子との第１のマッピング関係を構成し、又は論理チャネルグループと物理層サービス識別子との第２のマッピング関係を構成することを含む。
【００４２】
本出願の１つの選択可能な実施例では、前記方法は、さらに、前記端末が受信された第１のダウンリンク制御情報に基づいて対応する第１の物理層サービス識別子を決定することと、
前記端末が前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングすることと、を含む。
【００４３】
本出願の１つの選択可能な実施例では、異なる論理チャネル又は異なる論理チャネルグループは、ダウンリンク制御情報をスクランブルするための異なるＲＮＴＩに対応し、
異なる論理チャネル又は異なる論理チャネルグループに対応するダウンリンク制御情報フォーマットは異なり、
異なる論理チャネル又は異なる論理チャネルグループに対応するダウンリンク制御情報によって搬送されるコンテンツは異なる。
【００４４】
本出願の１つの選択可能な実施例では、前記端末が論理チャネルと物理層サービス識別子との第１のマッピング関係を構成することは、予め約束された方式に基づき、前記端末のために論理チャネルと物理層サービス識別子との第１のマッピング関係を構成することを含み、
論理チャネルグループと物理層サービス識別子との第２のマッピング関係を構成することは、
予め約束された方式に基づき、前記端末のために論理チャネルグループと物理層サービス識別子との第２のマッピング関係を構成することを含む。
【００４５】
本出願の１つの選択可能な実施例では、前記端末が論理チャネルと物理層サービス識別子との第１のマッピング関係を構成することは、前記端末がネットワーク機器から送信された第１のマッピング関係を受信することを含み、
論理チャネルグループと物理層サービス識別子との第２のマッピング関係を構成することは、
前記端末がネットワーク機器から送信された第二のマッピング関係を受信することを含む。
【００４６】
本出願の実施例によるネットワーク機器は、論理チャネルと物理層サービス識別子との第１のマッピング関係を構成し、又は論理チャネルグループと物理層サービス識別子との第２のマッピング関係を構成するように構成される第１の構成ユニットを備える。
【００４７】
本出願の１つの選択可能な実施例では、前記ネットワーク機器は、さらに、前記第１のマッピング関係に応じてデータの所在する論理チャネルに対応する物理層サービス識別子を決定するように構成される第１の決定ユニットと、前記第２のマッピング関係に応じてデータの所在する論理チャネルグループに対応する物理層サービス識別子を決定するように構成される第１の決定ユニットと、
前記物理層サービス識別子に対応する第１のダウンリンク制御情報に基づいて前記データをスケジューリングするように構成される第１のスケジューリングユニットと、を備える。
【００４８】
本出願の１つの選択可能な実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【００４９】
本出願の１つの選択可能な実施例では、異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる。
【００５０】
本出願の１つの選択可能な実施例では、前記ネットワーク機器は、さらに、前記第１のマッピング関係及び／又は前記第２のマッピング関係を端末に送信するように構成される第１の送信ユニットを備える。
【００５１】
本出願の１つの選択可能な実施例では、前記ネットワーク機器はさらに第１の送信ユニットを備え、
前記第１の構成ユニットは、少なくとも１グループの集約係数パラメータを構成するように構成され、前記集約係数がアップリンクデータ／ダウンリンクデータの繰り返し伝送回数を特徴付け、
前記第１の送信ユニットは、前記少なくとも１グループの集約係数パラメータを端末に送信するように構成される。
【００５２】
本出願の１つの選択可能な実施例では、前記第１の構成ユニットは、さらに物理層サービス識別子と集約係数パラメータとの第３のマッピング関係を構成し、又は物理層サービス識別子グループと集約係数パラメータとの第４のマッピング関係を構成するように構成され、ここで、前記物理層サービス識別子グループが少なくとも１つの物理層サービス識別子を含む。
【００５３】
本出願の１つの選択可能な実施例では、前記第１の構成ユニットは、予め定義された方式で物理層サービス識別子と集約係数パラメータとの第３のマッピング関係を構成し、又は予め定義された方式で物理層サービス識別子グループと集約係数パラメータとの第４のマッピング関係を構成するように構成される。
【００５４】
本出願の実施例によるネットワーク機器は、物理層サービス識別子と集約係数パラメータとの第３のマッピング関係を構成し、又は物理層サービス識別子グループと集約係数パラメータとの第４のマッピング関係を構成するように構成される第２の構成ユニットを備え、
ここで、前記集約係数パラメータは、アップリンクデータ／ダウンリンクデータの繰り返し伝送回数を特徴付け、前記物理層サービス識別子グループは、少なくとも１つの物理層サービス識別子を含む。
【００５５】
本出願の１つの選択可能な実施例では、前記ネットワーク機器は、さらに送信ユニットを備え、
前記第２の構成ユニットは、さらに、物理層サービス識別子と集約係数パラメータとの第３のマッピング関係を構成し、又は物理層サービス識別子グループと集約係数パラメータとの第４のマッピング関係を構成する前に、少なくとも１グループの集約係数パラメータを構成するように構成され、
前記第２の送信ユニットは、前記少なくとも１グループの集約係数パラメータを端末に送信するように構成される。
【００５６】
本出願の１つの選択可能な実施例では、前記第２の構成ユニットは、予め定義された方式で物理層サービス識別子と集約係数パラメータとの第３のマッピング関係を構成し、又は予め定義された方式で物理層サービス識別子グループと集約係数パラメータとの第４のマッピング関係を構成するように構成される。
【００５７】
本出願の１つの選択可能な実施例では、前記第２の構成ユニットは、さらに、論理チャネルと物理層サービス識別子との第１のマッピング関係を構成し、又は論理チャネルグループと物理層サービス識別子との第２のマッピング関係を構成するように構成される。
【００５８】
本出願の１つの選択可能な実施例では、前記ネットワーク機器は、さらに、
前記第１のマッピング関係に応じてデータの所在する論理チャネルに対応する物理層サービス識別子を決定し、又は、前記第２のマッピング関係に応じてデータの所在する論理チャネルグループに対応する物理層サービス識別子を決定するように構成される第２の決定ユニットと、
前記物理層サービス識別子に対応する第１のダウンリンク制御情報に基づいて前記データをスケジューリングするように構成される第２のスケジューリングユニットと備える。
【００５９】
本出願の１つの選択可能な実施例では、前記物理層サービス識別子は、ダウンリンク制御情報をスクランブルするための、ダウンリンク制御情報フォーマット、ダウンリンク制御情報によって搬送されるコンテンツを含む。
【００６０】
本出願の１つの選択可能な実施例では、異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる。
【００６１】
本出願の１つの選択可能な実施例では、前記ネットワーク機器は、さらに、前記第１のマッピング関係及び／又は前記第２のマッピング関係を端末に送信するように構成される第２の送信ユニットを備える。
【００６２】
本出願の実施例による端末は、論理チャネルと物理層サービス識別子との第１のマッピング関係を構成し、又は論理チャネルグループと物理層サービス識別子との第２のマッピング関係を構成するように構成される第３の構成ユニットを備える。
【００６３】
本出願の１つの選択可能な実施例では、前記端末は、さらに、
受信された第１のダウンリンク制御情報に基づいて対応する第１の物理層サービス識別子を決定するように構成される第３の決定ユニットと、
前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングするように構成される第１のデータマッピングユニットと、を備える。
【００６４】
本出願の１つの選択可能な実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【００６５】
本出願の１つの選択可能な実施例では、異なる論理チャネル又は異なる論理チャネルグループは、ダウンリンク制御情報をスクランブルするための異なるＲＮＴＩに対応し、
異なる論理チャネル又は異なる論理チャネルグループに対応するダウンリンク制御情報フォーマットは異なり、
異なる論理チャネル又は異なる論理チャネルグループに対応するダウンリンク制御情報によって搬送されるコンテンツは異なる。
【００６６】
本出願の１つの選択可能な実施例では、前記第３の構成ユニットは、予め約束された方式に基づき、前記端末のために論理チャネルと物理層サービス識別子との第１のマッピング関係を構成するように構成され、又は予め約束された方式に基づき、前記端末のために論理チャネルグループと物理層サービス識別子との第２のマッピング関係を構成するように構成される。
【００６７】
本出願の１つの選択可能な実施例では、前記第３の構成ユニットは、ネットワーク機器から送信された第１のマッピング関係を受信するように構成され、又はネットワーク機器から送信された第２のマッピング関係を受信するように構成される。
【００６８】
本出願の１つの選択可能な実施例では、前記端末は、さらに、前記ネットワーク機器から送信された少なくとも１グループの集約係数パラメータを構成するように構成され、前記集約係数パラメータがアップリンクデータ／ダウンリンクデータの繰り返し伝送回数を特徴付ける第１の伝送ユニットを備える。
【００６９】
本出願の１つの選択可能な実施例では、前記第３の構成ユニットは、さらに物理層サービス識別子と集約係数パラメータとの第３のマッピング関係を構成するように構成され、又は物理層サービス識別子グループと集約係数パラメータとの第４のマッピング関係を構成するように構成され、ここで、前記物理層サービス識別子グループが少なくとも１つの物理層サービス識別子を含む。
【００７０】
本出願の１つの選択可能な実施例では、前記第３の構成ユニットは、予め定義された方式で物理層サービス識別子と集約係数パラメータとの第３のマッピング関係を構成するように構成され、又は予め定義された方式で物理層サービス識別子グループと集約係数パラメータとの第４のマッピング関係を構成するように構成される。
【００７１】
本出願の１つの選択可能な実施例では、前記端末は、さらに、
受信された第２のダウンリンク制御情報に基づいて対応する第２の物理層サービス識別子を決定し、前記第３のマッピング関係又は前記第４のマッピング関係に応じて前記第２の物理層サービス識別子に対応する第１の集約係数パラメータを決定するように構成される第３の決定ユニットと、
前記第１の集約係数パラメータに基づいてデータを伝送するように構成される第１の伝送ユニットと、を備える。
【００７２】
本出願の１つの選択可能な実施例では、異なる集約係数パラメータは、ダウンリンク制御情報をスクランブルするための異なるＲＮＴＩに対応し、
異なる集約係数パラメータに対応するダウンリンク制御情報フォーマットは異なり、
異なる集約係数パラメータに対応するダウンリンク制御情報によって搬送されるコンテンツは異なる。
【００７３】
本出願の実施例による端末は、物理層サービス識別子と集約係数パラメータとの第３のマッピング関係を構成するように構成され、又は物理層サービス識別子グループと集約係数パラメータとの第４のマッピング関係を構成するように構成される第４の構成ユニットを備え、
ここで、前記集約係数パラメータは、アップリンクデータ／ダウンリンクデータの繰り返し伝送回数を特徴付け、前記物理層サービス識別子グループは、少なくとも１つの物理層サービス識別子を含む。
【００７４】
本出願の１つの選択可能な実施例では、前記端末は、さらに、前記第４の構成ユニットが物理層サービス識別子と集約係数パラメータとの第３のマッピング関係を構成し、又は物理層サービス識別子グループと集約係数パラメータとの第４のマッピング関係を構成する前に、前記ネットワーク機器から送信された
少なくとも１グループの集約係数パラメータを受信するように構成される第２の伝送ユニットを備える。
【００７５】
本出願の１つの選択可能な実施例では、前記第４の構成ユニットは、予め定義された方式で物理層サービス識別子と集約係数パラメータとの第３のマッピング関係を構成するように構成され、又は予め定義された方式で物理層サービス識別子グループと集約係数パラメータとの第４のマッピング関係を構成するように構成される。
【００７６】
本出願の１つの選択可能な実施例では、前記端末は、さらに、
受信された第２のダウンリンク制御情報に基づいて対応する第２の物理層サービス識別子を決定し、前記第３のマッピング関係又は前記第４のマッピング関係に応じて前記第２の物理層サービス識別子に対応する第１の集約係数パラメータを決定するように構成される第４の決定ユニットと、
前記第１の集約係数パラメータに基づいてデータを伝送するように構成される第２の伝送ユニットと、を備える。
【００７７】
本出願の１つの選択可能な実施例では、前記物理層サービス識別子は、ダウンリンク制御情報をスクランブルするように構成されたＲＮＴＩ、ダウンリンク制御情報フォーマット、ダウンリンク制御情報によって搬送されるコンテンツを含む。
【００７８】
本出願の１つの選択可能な実施例では、異なる集約係数パラメータは、ダウンリンク制御情報をスクランブルするための異なるＲＮＴＩに対応し、
異なる集約係数パラメータに対応するダウンリンク制御情報フォーマットは異なり、
異なる集約係数パラメータに対応するダウンリンク制御情報によって搬送されるコンテンツは異なる。
【００７９】
本出願の１つの選択可能な実施例では、前記第４の構成ユニットは、さらに、論理チャネルと物理層サービス識別子との第１のマッピング関係を構成するように構成され、又は論理チャネルグループと物理層サービス識別子との第２のマッピング関係を構成するように構成される。
【００８０】
本出願の１つの選択可能な実施例では、前記端末は、さらに、
受信された第１のダウンリンク制御情報に基づいて対応する第１の物理層サービス識別子を決定するように構成される第４の決定ユニットと、
前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングするように構成される第２のデータマッピングユニットと、を備える。
【００８１】
本出願の１つの選択可能な実施例では、異なる論理チャネル又は異なる論理チャネルグループは、ダウンリンク制御情報をスクランブルするための異なるＲＮＴＩに対応し、
異なる論理チャネル又は異なる論理チャネルグループに対応するダウンリンク制御情報フォーマットは異なり、
異なる論理チャネル又は異なる論理チャネルグループに対応するダウンリンク制御情報によって搬送されるコンテンツは異なる。
【００８２】
本出願の１つの選択可能な実施例では、前記第４の構成ユニットは、予め約束された方式に基づき、前記端末のために論理チャネルと物理層サービス識別子との第１のマッピング関係を構成するように構成され、又は予め約束された方式に基づき、前記端末のために論理チャネルグループと物理層サービス識別子との第２のマッピング関係を構成するように構成される。
【００８３】
本出願の１つの選択可能な実施例では、前記第４の構成ユニットは、さらにネットワーク機器から送信された第１のマッピング関係を受信するように構成され、又はネットワーク機器から送信された第２のマッピング関係を受信するように構成される。
【００８４】
本出願の実施例によるコンピュータ可読記憶媒体は、コンピュータプログラムを記憶しており、当該プログラムは、プロセッサに、上記ネットワーク機器側のいずれかの前記データスケジューリング方法のステップを実行させ、又は、上記端末側のいずれかの前記データスケジューリング方法のステップを実行させ、又は、上記ネットワーク側のいずれかの前記データ伝送方法のステップを実行させ、又は、上記端末側のいずれかの前記データ伝送方法のステップを実行させる。
【００８５】
本出願の実施例によるネットワーク機器は、メモリと、プロセッサと、メモリに記憶されかつプロセッサで実行可能なコンピュータプログラムと、を備え、前記プロセッサが前記プログラムを実行して、上記ネットワーク機器側のいずれかの前記データスケジューリング方法のステップを実現し、又は、前記プロセッサが前記プログラムを実行して、上記ネットワーク機器側のいずれかの前記データ伝送方法のステップを実現する。
【００８６】
本出願の実施例による端末は、メモリと、プロセッサと、メモリに記憶され且つプロセッサで実行可能なコンピュータプログラムと、を備え、前記プロセッサが前記プログラムを実行して、上記端末側のいずれかの前記データスケジューリング方法のステップを実現し、前記プロセッサが前記プログラムを実行して、上記端末側のいずれかの前記データ伝送方法のステップを実現する。
【発明の効果】
【００８７】
本出願の実施例によるデータスケジューリング方法及びデータ伝送方法、ネットワーク機器、端末並びにコンピュータ記憶媒体において、一方、ネットワーク機器又は端末は、論理チャネルと物理層サービス識別子との第１のマッピング関係を構成し、又は論理チャネルグループと物理層サービス識別子との第２のマッピング関係を構成し、これにより、異なる物理層サービス識別子に対して異なる論理チャネル又は異なる論理チャネルグループを使用し、サービスニーズを保証し、システムスループットを向上する。もう一方では、ネットワーク機器又は端末は、物理層サービス識別子と集約係数パラメータとの第３のマッピング関係を構成し、又は物理層サービス識別子グループと集約係数パラメータとの第４のマッピング関係を構成し、前記集約係数パラメータがアップリンクデータ／ダウンリンクデータの繰り返し伝送回数を特徴付け、これにより、異なる物理層サービス識別子に対して異なる集約係数パラメータをマッピングし、信頼性要件が低いサービスについて、小さい集約係数パラメータに対応し、信頼性要件が高いサービスについて、大きな集約係数パラメータに対応し、同じ集約係数パラメータの構成によるリソースの浪費を回避し、システムスループットを向上させる。
【図面の簡単な説明】
【００８８】
【図１】本出願の実施例によるデータスケジューリング方法のフローチャート１である。
【図２】本出願の実施例によるデータスケジューリング方法のフローチャート２である。
【図３】本出願の実施例によるデータ伝送方法のフローチャート１である。
【図４】本出願の実施例によるデータ伝送方法のフローチャート２である。
【図５】本出願の実施例によるネットワーク機器の構成構造図１である。
【図６】本出願の実施例によるネットワーク機器の構成構造図２である。
【図７】本出願の実施例による別のネットワーク機器の構成構造図１である。
【図８】本出願の実施例による別のネットワーク機器の構成構造図２である。
【図９】本出願の実施例による端末の構成構造図１である。
【図１０】本出願の実施例による端末の構成構造図２である。
【図１１】本出願の実施例による別の端末の構成構造図１である。
【図１２】本出願の実施例による別の端末の構成構造図２である。
【発明を実施するための形態】
【００８９】
以下に図面及び具体的な実施例を参照しながら本出願をさらに詳しく説明する。
【００９０】
本出願の実施例はデータスケジューリング方法を提供する。図１は本出願の実施例によるデータスケジューリング方法のフローチャート１である。図１に示すように、前記方法は、ステップ１０１を含む。
【００９１】
ステップ１０１において、ネットワーク機器は、論理チャネルと物理層サービス識別子との第１のマッピング関係を構成し、又は論理チャネルグループと物理層サービス識別子との第２のマッピング関係を構成する。
【００９２】
ここで、ネットワーク機器は基地局などの機器であってもよい。
【００９３】
本実施例では、前記物理層サービス識別子は、ダウンリンク制御情報（ＤＣＩ：Ｄｏｗｎｌｉｎｋ  Ｃｏｎｔｒｏｌ  Ｉｎｆｏｒｍａｔｉｏｎ）をスクランブルするためのＲＮＴＩ、ダウンリンク制御情報フォーマット（ＤＣＩ  ｆｏｒｍａｔ）、ダウンリンク制御情報によって搬送されるコンテンツを含む。ここで、異なる物理層サービス識別子は、異なるサービスタイプ又は異なるサービス優先度に対応することができ、異なるサービスタイプ又は異なるサービス優先度は、異なる論理チャネルを使用し、又は異なるＤＣＩフォーマットに対応し、又は異なるＤＣＩによって搬送されるコンテンツに対応することが理解され得る。
【００９４】
ここで、異なる論理チャネル又は異なる論理チャネルグループは、ダウンリンク制御情報をスクランブルするための異なるＲＮＴＩに対応し、異なる論理チャネル又は異なる論理チャネルグループは、異なるダウンリンク制御情報フォーマットに対応し、異なる論理チャネル又は異なる論理チャネルグループに対応するダウンリンク制御情報によって搬送されるコンテンツは異なる。
【００９５】
本実施例では、ネットワーク機器は、予め約束された方式に基づいて論理チャネルと物理層サービス識別子との第１のマッピング関係を構成し、又は論理チャネルグループと物理層サービス識別子との第２のマッピング関係を構成することができる。
【００９６】
本出願の１つの選択可能な実施例では、前記方法は、さらにステップ１０２とステップ１０３とを含む。
【００９７】
ステップ１０２において、ネットワーク機器は、前記第１のマッピング関係に応じてデータの所在する論理チャネルに対応する物理層サービス識別子を決定し、又は、前記ネットワーク機器は、前記第２のマッピング関係に応じてデータの所在する論理チャネルグループに対応する物理層サービス識別子を決定する。
【００９８】
ステップＳ１０３において、前記ネットワーク機器は、前記物理層サービス識別子に対応する第１のダウンリンク制御情報に基づいて前記データをスケジューリングする。
【００９９】
本出願の１つの選択可能な実施例では、前記ネットワーク機器は、前記第１のマッピング関係及び／又は前記第２のマッピング関係を端末に送信する。
【０１００】
一例として、ネットワーク機器は、上位層シグナリングを介して前記第１のマッピング関係及び／又は前記第２のマッピング関係を端末に送信することができる。
【０１０１】
本出願の１つの選択可能な実施例では、前記方法は、さらに、前記ネットワーク機器が少なくとも１グループの集約係数パラメータを構成することであって、前記集約係数パラメータがアップリンクデータ／ダウンリンクデータの繰り返し伝送回数を特徴付けることと、前記ネットワーク機器が前記少なくとも１グループの集約係数パラメータを端末に送信することと、を含む。
【０１０２】
前記方法は、さらに、前記ネットワーク機器が物理層サービス識別子と集約係数パラメータとの第３のマッピング関係を構成すること、又は、前記ネットワーク機器が物理層サービス識別子グループと集約係数パラメータとの第４のマッピング関係を構成することを含み、ここで、前記物理層サービス識別子グループは少なくとも１つの物理層サービス識別子を含む。
【０１０３】
ここで、集約係数パラメータは、具体的には、アップリンクデータ／ダウンリンクデータの繰り返し伝送回数を示すためのｐｄｓｃｈ／ｐｕｓｃｈ−ＡｇｇｒｅｇａｔｉｏｎＦａｃｔｏｒパラメータであってもよい。当該ｐｄｓｃｈ／ｐｕｓｃｈ−ＡｇｇｒｅｇａｔｉｏｎＦａｃｔｏｒパラメータは、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）構成情報と物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）構成情報において、例えば２、４、８に構成されてもよく、デフォルトでは１に構成されてもよく、ＴＢの繰り返し回数を表す。４に構成されると、１回のスケジューリングが４回連続して繰り返されることを示す。
【０１０４】
１つの実施形態として、前記ネットワーク機器が物理層サービス識別子と集約係数パラメータとの第３のマッピング関係を構成することは、前記ネットワーク機器が予め定義された方式で物理層サービス識別子と集約係数パラメータとの第３のマッピング関係を構成することを含み、前記ネットワーク機器が物理層サービス識別子グループと集約係数パラメータとの第４のマッピング関係を構成することは、前記ネットワーク機器が予め定義された方式で物理層サービス識別子グループと集約係数パラメータとの第４のマッピング関係を構成することを含む。
【０１０５】
本出願の実施例の技術的解決策を採用すると、ネットワーク機器又は端末は、論理チャネルと物理層サービス識別子との第１のマッピング関係を構成し、又は論理チャネルグループと物理層サービス識別子との第２のマッピング関係を構成し、これにより、異なる物理層サービス識別子に対して異なる論理チャネル又は異なる論理チャネルグループを使用し、サービスニーズを保証し、システムスループットを向上させる。
【０１０６】
もう一方では、ネットワーク機器又は端末は、物理層サービス識別子と集約係数パラメータとの第３のマッピング関係を構成し、又は物理層サービス識別子グループと集約係数パラメータとの第４のマッピング関係を構成し、前記集約係数パラメータがアップリンクデータ／ダウンリンクデータの繰り返し伝送回数を特徴付け、これにより、異なる物理層サービス識別子に対して異なる集約係数パラメータをマッピングし、信頼性要件が低いサービスについて、小さい集約係数パラメータに対応し、信頼性要件が高いサービスにについて、大きな集約係数パラメータに対応し、同じ集約係数パラメータの構成によるリソースの浪費を回避し、システムスループットを向上させる。
【０１０７】
本出願の実施例はさらにデータスケジューリング方法を提供する。図２は本出願の実施例によるデータスケジューリング方法のフローチャート２である。図２に示すように、前記方法は、ステップ２０１を含む。
【０１０８】
ステップ２０１において、端末は、論理チャネルと物理層サービス識別子との第１のマッピング関係を構成し、又は論理チャネルグループと物理層サービス識別子との第２のマッピング関係を構成する。
【０１０９】
本実施例では、前記物理層サービス識別子は、ダウンリンク制御情報（ＤＣＩ）をスクランブルするためのＲＮＴＩ、ダウンリンク制御情報フォーマット（ＤＣＩ  ｆｏｒｍａｔ）、ダウンリンク制御情報によって搬送されるコンテンツを含む。ここで、異なる物理層サービス識別子は、異なるサービスタイプ又は異なるサービス優先度に対応することができ、異なるサービスタイプ又は異なるサービス優先度は、異なる論理チャネルを使用し、又は異なるＤＣＩフォーマットに対応し、又は異なるＤＣＩによって搬送されるコンテンツに対応することが理解され得る。
【０１１０】
ここで、異なる論理チャネル又は異なる論理チャネルグループは、ダウンリンク制御情報をスクランブルするための異なるＲＮＴＩに対応し、異なる論理チャネル又は異なる論理チャネルグループに対応するダウンリンク制御情報フォーマットは異なり、異なる論理チャネル又は異なる論理チャネルグループに対応するダウンリンク制御情報によって搬送されるコンテンツは異なる。
【０１１１】
１つの実施形態として、前記端末が論理チャネルと物理層サービス識別子との第１のマッピング関係を構成することは、予め約束された方式に基づき、前記端末のために論理チャネルと物理層サービス識別子との第１のマッピング関係を構成することを含み、論理チャネルグループと物理層サービス識別子との第２のマッピング関係を構成することは、予め約束された方式に基づき、前記端末のために論理チャネルグループと物理層サービス識別子との第２のマッピング関係を構成することを含む。
【０１１２】
別の実施形態として、前記端末が論理チャネルと物理層サービス識別子との第１のマッピング関係を構成することは、前記端末がネットワーク機器から送信された第１のマッピング関係を受信することを含み、論理チャネルグループと物理層サービス識別子との第２のマッピング関係を構成することは、前記端末がネットワーク機器から送信された第二のマッピング関係を受信することを含む。
【０１１３】
一例として、前記端末は、ネットワーク機器が上位層シグナリングを介して送信した第１のマッピング関係を受信し、又は、ネットワーク機器が上位層シグナリングを介して送信した第２のマッピング関係を受信することができる。
【０１１４】
本出願の１つの選択可能な実施例では、前記方法はさらに、前記端末が受信された第１のダウンリンク制御情報に基づいて対応する第１の物理層サービス識別子を決定するステップ２０２と、
前記端末が前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングするステップ２０３を含む。
【０１１５】
本出願の１つの選択可能な実施例では、前記方法は、さらに、前記端末が前記ネットワーク機器から送信された少なくとも１グループの集約係数パラメータを受信することであって、前記集約係数パラメータがアップリンクデータ／ダウンリンクデータの繰り返し伝送回数を特徴付けることを含む。
【０１１６】
前記方法は、さらに、前記端末が物理層サービス識別子と集約係数パラメータとの第３のマッピング関係を構成すること、又は、前記端末が物理層サービス識別子グループと集約係数パラメータとの第４のマッピング関係を構成することであって、ここで、前記物理層サービス識別子グループが少なくとも１つの物理層サービス識別子を含むことを含む。
【０１１７】
ここで、集約係数パラメータは、具体的には、アップリンクデータ／ダウンリンクデータの繰り返し伝送回数を示すためのｐｄｓｃｈ／ｐｕｓｃｈ−ＡｇｇｒｅｇａｔｉｏｎＦａｃｔｏｒパラメータであってもよい。当該ｐｄｓｃｈ／ｐｕｓｃｈ−ＡｇｇｒｅｇａｔｉｏｎＦａｃｔｏｒパラメータは、ＰＵＳＣＨ構成情報とＰＤＳＣＨ構成情報において、例えば２、４、８に構成されてもよく、デフォルトでは１に構成されてもよく、ＴＢの繰り返し回数を表す。４に構成されると、１回のスケジューリングが４回連続して繰り返されることを示す。
【０１１８】
ここで、１つの実施形態として、前記端末が物理層サービス識別子と集約係数パラメータとの第３のマッピング関係を構成することは、前記端末が予め定義された方式で物理層サービス識別子と集約係数パラメータとの第３のマッピング関係を構成することを含み、前記端末が物理層サービス識別子グループと集約係数パラメータとの第４のマッピング関係を構成することは、前記端末が予め定義された方式で物理層サービス識別子グループと集約係数パラメータとの第４のマッピング関係を構成することを含む。
【０１１９】
ここで、異なる集約係数パラメータは、ダウンリンク制御情報をスクランブルするための異なるＲＮＴＩに対応し、異なる集約係数パラメータに対応するダウンリンク制御情報フォーマットは異なり、異なる集約係数パラメータに対応するダウンリンク制御情報によって搬送されるコンテンツは異なる。
【０１２０】
本出願の１つの選択可能な実施例では、前記方法は、さらに、前記端末が受信された第２のダウンリンク制御情報に基づいて対応する第２の物理層サービス識別子を決定することと、前記端末が前記第３のマッピング関係又は前記第４のマッピング関係に応じて前記第２の物理層サービス識別子に対応する第１の集約係数パラメータを決定することと、前記端末が前記第１の集約係数パラメータに基づいてデータを伝送することと、を含む。
【０１２１】
本出願の実施例の技術的解決策を採用すると、ネットワーク機器又は端末は、論理チャネルと物理層サービス識別子との第１のマッピング関係を構成し、又は論理チャネルグループと物理層サービス識別子との第２のマッピング関係を構成し、これにより、異なる物理層サービス識別子に対して異なる論理チャネル又は異なる論理チャネルグループを使用し、サービスニーズを保証し、システムスループットを向上させる。
【０１２２】
もう一方では、ネットワーク機器又は端末は、物理層サービス識別子と集約係数パラメータとの第３のマッピング関係を構成し、又は物理層サービス識別子グループと集約係数パラメータとの第４のマッピング関係を構成し、前記集約係数パラメータがアップリンクデータ／ダウンリンクデータの繰り返し伝送回数を特徴付け、これにより、異なる物理層サービス識別子に対して異なる集約係数パラメータをマッピングし、信頼性要件が低いサービスについて、小さい集約係数パラメータに対応し、信頼性要件が高いサービスについて、大きな集約係数パラメータに対応し、同じ集約係数パラメータの構成によるリソースの浪費を回避し、システムスループットを向上させる。
【０１２３】
本出願の実施例はさらにデータ伝送方法を提供する。図３は本出願の実施例によるデータ伝送方法のフローチャート１である。図３に示すように、前記方法は、ステップ３０１を含む。
【０１２４】
ステップ３０１において、ネットワーク機器は、物理層サービス識別子と集約係数パラメータとの第３のマッピング関係を構成し、又は物理層サービス識別子グループと集約係数パラメータとの第４のマッピング関係を構成することであって、ここで、前記集約係数パラメータがアップリンクデータ／ダウンリンクデータの繰り返し伝送回数を特徴付け、前記物理層サービス識別子グループが少なくとも１つの物理層サービス識別子を含むことを含む。
【０１２５】
本出願の１つの選択可能な実施例では、前記ネットワーク機器が物理層サービス識別子と集約係数パラメータとの第３のマッピング関係を構成し、又は物理層サービス識別子グループと集約係数パラメータとの第４のマッピング関係を構成する前に、前記方法は、さらに、前記ネットワーク機器が少なくとも１グループの集約係数パラメータを構成することと、前記ネットワーク機器が前記少なくとも１グループの集約係数パラメータを端末に送信することと、を含む。
【０１２６】
本実施例では、前記ネットワーク機器が物理層サービス識別子と集約係数パラメータとの第３のマッピング関係を構成することは、前記ネットワーク機器が予め定義された方式で物理層サービス識別子と集約係数パラメータとの第３のマッピング関係を構成することを含み、前記ネットワーク機器が物理層サービス識別子グループと集約係数パラメータとの第４のマッピング関係を構成することは、前記ネットワーク機器が予め定義された方式で物理層サービス識別子グループと集約係数パラメータとの第４のマッピング関係を構成することを含む。
【０１２７】
本出願の１つの選択可能な実施例では、前記方法は、さらに、ネットワーク機器が論理チャネルと物理層サービス識別子との第１のマッピング関係を構成し、又は論理チャネルグループと物理層サービス識別子との第２のマッピング関係を構成することを含む。
【０１２８】
本出願の１つの選択可能な実施例では、前記方法は、さらに前記ネットワーク機器が前記第１のマッピング関係及び／又は前記第２のマッピング関係を端末に送信することを含む。
【０１２９】
本出願の１つの選択可能な実施例では、前記方法はさらにネットワーク機器が前記第１のマッピング関係に応じてデータの所在する論理チャネルに対応する物理層サービス識別子を決定すること、又は、前記ネットワーク機器が前記第２のマッピング関係に応じてデータの所在する論理チャネルグループに対応する物理層サービス識別子を決定することと、前記ネットワーク機器が前記物理層サービス識別子に対応する第１のダウンリンク制御情報に基づいて前記データをスケジューリングすることと、を含む。
【０１３０】
本実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【０１３１】
ここで、異なる論理チャネル又は異なる論理チャネルグループは、ダウンリンク制御情報をスクランブルするための異なるＲＮＴＩに対応し、異なる論理チャネル又は異なる論理チャネルグループは、異なるダウンリンク制御情報フォーマットに対応し、異なる論理チャネル又は異なる論理チャネルグループに対応するダウンリンク制御情報によって搬送されるコンテンツは異なる。
【０１３２】
本出願の実施例の技術的解決策を採用すると、ネットワーク機器又は端末は、論理チャネルと物理層サービス識別子との第１のマッピング関係を構成し、又は論理チャネルグループと物理層サービス識別子との第２のマッピング関係を構成し、これにより、異なる物理層サービス識別子に対して異なる論理チャネル又は異なる論理チャネルグループを使用し、サービスニーズを保証し、システムスループットを向上させる。
【０１３３】
もう一方では、ネットワーク機器又は端末は、物理層サービス識別子と集約係数パラメータとの第３のマッピング関係を構成し、又は物理層サービス識別子グループと集約係数パラメータとの第４のマッピング関係を構成し、前記集約係数パラメータがアップリンクデータ／ダウンリンクデータの繰り返し伝送回数を特徴付け、これにより、異なる物理層サービス識別子に対して異なる集約係数パラメータをマッピングし、信頼性要件が低いサービスについて、小さい集約係数パラメータに対応し、信頼性要件が高いサービスについて、大きな集約係数パラメータに対応し、同じ集約係数パラメータの構成によるリソースの浪費を回避し、システムスループットを向上させる。
【０１３４】
本出願の実施例はさらにデータ伝送方法を提供する。図４は本出願の実施例によるデータ伝送方法のフローチャート２である。図４に示すように、前記方法は、ステップ４１０を含む。
【０１３５】
ステップ４０１において、端末は、物理層サービス識別子と集約係数パラメータとの第３のマッピング関係を構成し、又は物理層サービス識別子グループと集約係数パラメータとの第４のマッピング関係を構成し、ここで、前記集約係数パラメータがアップリンクデータ／ダウンリンクデータの繰り返し伝送回数を特徴付け、前記物理層サービス識別子グループが少なくとも１つの物理層サービス識別子を含む。
【０１３６】
本出願の１つの選択可能な実施例では、前記端末が物理層サービス識別子と集約係数パラメータとの第３のマッピング関係を構成し、又は物理層サービス識別子グループと集約係数パラメータとの第４のマッピング関係を構成する前に、前記方法は、さらに、前記端末が前記ネットワーク機器から送信された少なくとも１グループの集約係数パラメータを受信することを含む。
【０１３７】
１つの実施形態として、前記端末が物理層サービス識別子と集約係数パラメータとの第３のマッピング関係を構成することは、前記端末が予め定義された方式で物理層サービス識別子と集約係数パラメータとの第３のマッピング関係を構成することを含む。前記端末が物理層サービス識別子グループと集約係数パラメータとの第４のマッピング関係を構成することは、前記端末が予め定義された方式で物理層サービス識別子グループと集約係数パラメータとの第４のマッピング関係を構成することを含む。
【０１３８】
本出願の１つの選択可能な実施例では、前記方法はさらに、前記端末が受信された第２のダウンリンク制御情報に基づいて対応する第２の物理層サービス識別子を決定するステップ４０２と、
前記端末が前記第３のマッピング関係又は前記第４のマッピング関係に応じて前記第２の物理層サービス識別子に対応する第１の集約係数パラメータを決定するステップ４０３と、
前記端末が前記第１の集約係数パラメータに基づいてデータを伝送するステップ４０４と、を含む。
【０１３９】
本実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【０１４０】
ここで、異なる集約係数パラメータは、ダウンリンク制御情報をスクランブルするための異なるＲＮＴＩに対応し、異なる集約係数パラメータに対応するダウンリンク制御情報フォーマットは異なり、異なる集約係数パラメータに対応するダウンリンク制御情報によって搬送されるコンテンツは異なる。
【０１４１】
本出願の１つの選択可能な実施例では、前記方法は、さらに、前記端末が論理チャネルと物理層サービス識別子との第１のマッピング関係を構成し、又は論理チャネルグループと物理層サービス識別子との第２のマッピング関係を構成することを含む。
【０１４２】
ここで、異なる論理チャネル又は異なる論理チャネルグループは、ダウンリンク制御情報をスクランブルするための異なるＲＮＴＩに対応し、異なる論理チャネル又は異なる論理チャネルグループに対応するダウンリンク制御情報フォーマットは異なり、異なる論理チャネル又は異なる論理チャネルグループに対応するダウンリンク制御情報によって搬送されるコンテンツは異なる。
【０１４３】
１つの実施形態として、前記端末が論理チャネルと物理層サービス識別子との第１のマッピング関係を構成することは、予め約束された方式に基づき、前記端末のために論理チャネルと物理層サービス識別子との第１のマッピング関係を構成することを含み、論理チャネルグループと物理層サービス識別子との第２のマッピング関係を構成することは、予め約束された方式に基づき、前記端末のために論理チャネルグループと物理層サービス識別子との第２のマッピング関係を構成することを含む。
【０１４４】
別の実施形態として、前記端末が論理チャネルと物理層サービス識別子との第１のマッピング関係を構成することは、前記端末がネットワーク機器から送信された第１のマッピング関係を受信することを含み、論理チャネルグループと物理層サービス識別子との第２のマッピング関係を構成することは、前記端末がネットワーク機器から送信された第二のマッピング関係を受信することを含む。
【０１４５】
本出願の１つの選択可能な実施例では、前記方法は、さらに、前記端末が受信された第１のダウンリンク制御情報に基づいて対応する第１の物理層サービス識別子を決定することと、前記端末が前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングすることと、を含む。
【０１４６】
本出願の実施例の技術的解決策を採用すると、ネットワーク機器又は端末は、論理チャネルと物理層サービス識別子との第１のマッピング関係を構成し、又は論理チャネルグループと物理層サービス識別子との第２のマッピング関係を構成し、これにより、異なる物理層サービス識別子に対して異なる論理チャネル又は異なる論理チャネルグループを使用し、サービスニーズを保証し、システムスループットを向上させる。
【０１４７】
もう一方では、ネットワーク機器又は端末は、物理層サービス識別子と集約係数パラメータとの第３のマッピング関係を構成し、又は物理層サービス識別子グループと集約係数パラメータとの第４のマッピング関係を構成し、前記集約係数パラメータがアップリンクデータ／ダウンリンクデータの繰り返し伝送回数を特徴付け、これにより、異なる物理層サービス識別子に対して異なる集約係数パラメータをマッピングし、信頼性要件が低いサービスについて、小さい集約係数パラメータに対応し、信頼性要件が高いサービスについて、大きな集約係数パラメータに対応し、同じ集約係数パラメータの構成によるリソースの浪費を回避し、システムスループットを向上させる。
【０１４８】
以下に具体的な例を参照しながら本出願を詳しく説明する。
【０１４９】
例１
論理チャネル構成では、ＲＮＴＩの制限を加える場合、論理チャネル１（優先度が１に構成されると、ＲＮＴＩがｎｅｗ  ＲＮＴＩ、セル無線ネットワーク一時的識別子（Ｃ−ＲＮＴＩ：  Ｃｅｌｌ−Ｒａｄｉｏ  Ｎｅｔｗｏｒｋ  Ｔｅｍｐｏｒａｒｙ  Ｉｄｅｎｔｉｆｉｅｒ  ）、所定の無線ネットワーク一時的識別子（ＣＳ−ＲＮＴＩ：Ｃｏｎｆｉｇｕｒｅｄ  Ｓｃｈｅｄｕｌｉｎｇ−Ｒａｄｉｏ  Ｎｅｔｗｏｒｋ  Ｔｅｍｐｏｒａｒｙ  Ｉｄｅｎｔｉｆｉｅｒ）として構成されることを許容する）、論理チャネル２（優先度が１に構成され、ＲＮＴＩがＣ−ＲＮＴＩ、ＣＳ−ＲＮＴＩとして構成されることを許容する）という２つのチャネルを構成し、この時、端末に論理チャネル２のアップリンクデータがあると、Ｃ−ＲＮＴＩとＣＳ−ＲＮＴＩでスクランブルされたＤＣＩのスケジューリングのみを使用することができ、ｎｅｗ  ＲＮＴＩでスクランブルされたＤＣＩのスケジューリングを使用することができない。
【０１５０】
例２
論理チャネル構成では、ＤＣＩ  ｆｏｒｍａｔの制限を加える場合、ＤＣＩ  ｆｏｒｍａｔ  ｍがサービス優先度の高いデータスケジューリングに使用され、ＤＣＩ  ｆｏｒｍａｔ  ｎがサービス優先度の低いデータスケジューリングに使用されると仮定すると、論理チャネル１（優先度が１に構成されると、ＤＣＩ  ｆｏｒｍａｔがＤＣＩ  ｆｏｒｍａｔ  ｍ、ＤＣＩ  ｆｏｒｍａｔ  ｎとして構成されることを許容する）、論理チャネル２（優先度が１に構成されると、ＤＣＩ  ｆｏｒｍａｔがＤＣＩ  ｆｏｒｍａｔ  ｎとして構成されることを許容する）という２つの論理チャネルを構成し、この時、端末に論理チャネル２のアップリンクデータがあると、ＤＣＩ  ｆｏｒｍａｔ  ｎのスケジューリングのみを使用することができ、ＤＣＩ  ｆｏｒｍａｔのスケジューリングを使用することができない。
【０１５１】
例３
論理チャネルの構成では、ＤＣＩによって搬送される情報の制限を加える場合、ＤＣＩにサービスを識別するためのドメインがあり、１つの状態がＵＲＬＬＣを表し、もう１つの状態がｅＭＢＢを表すると仮定し、次のように、論理チャネル１（優先度が１に構成されると、ＤＣＩがＵＲＬＬＣ、ｅＭＢＢとして構成されることを許容する）、論理チャネル２（優先度が１に構成されると、ＤＣＩがｅＭＢＢとして構成されることを許容する）という２つの論理チャネルを構成し、この時、端末に論理チャネル２のアップリンクデータがあると、ＵＲＬＬＣサービスをスケジューリングするためのＤＣＩを使用することができない。
【０１５２】
例４
基地局は、上位層シグナリングを介して端末に２つのｐｄｓｃｈ／ｐｕｓｃｈ−ＡｇｇｒｅｇａｔｉｏｎＦａｃｔｏｒを構成し、それらがそれぞれ４と２であり、それぞれｎｅｗ  ＲＮＴＩでスクランブルされたＤＣＩによってスケジューリングされたＰＵＳＣＨ／ＰＤＳＣＨと他のＲＮＴＩでスクランブルされたＤＣＩによってスケジューリングされたＰＵＳＣＨ／ＰＤＳＣＨに対応し、端末がｎｅｗ  ＲＮＴＩでスクランブルされたＤＣＩによってスケジューリングされたアップリンク／ダウンリンクデータを受信する場合、繰り返し伝送回数は４であり、端末が他のＲＮＴＩでスクランブルされたＤＣＩによってスケジューリングされたアップリンク／ダウンリンクデータを受信する場合、繰り返し回数は２である。
【０１５３】
例５
基地局は、上位層シグナリングを介して端末に２つのｐｄｓｃｈ／ｐｕｓｃｈ−ＡｇｇｒｅｇａｔｉｏｎＦａｃｔｏｒを構成し、それらがそれぞれ４と２であり、それぞれＵＲＬＬＣスケジューリングのためのＤＣＩ  ｆｏｒｍａｔ  ｍによってスケジューリングされたＰＵＳＣＨ／ＰＤＳＣＨとｅＭＢＢスケジューリングのためのＤＣＩ  ｆｏｒｍａｔ  ｎによってスケジューリングされたＰＵＳＣＨ／ＰＤＳＣＨに対応し、端末がＤＣＩ  ｆｏｒｍａｔ  ｍによってスケジューリングされたアップリンク／ダウンリンクデータを受信する場合、繰り返し伝送回数は４であり、端末がＤＣＩ  ｆｏｒｍａｔ  ｎによってスケジューリングされたアップリンク／ダウンリンクデータを受信する場合、繰り返し回数は２である。
【０１５４】
例６
基地局は、上位層シグナリングを介して端末に２つのｐｄｓｃｈ／ｐｕｓｃｈ−ＡｇｇｒｅｇａｔｉｏｎＦａｃｔｏｒを構成し、それらがそれぞれ４と２であり、ＤＣＩにサービスを識別するためのドメインがあり、１つの状態がＵＲＬＬＣを表し、１つの状態がｅＭＢＢを表すと仮定すると、それらの繰り返し回数は、それぞれサービスを識別するためのＤＣＩ内のドメインの２つの状態に対応し、端末が、サービスを識別するためのドメインがＵＲＬＬＣであるＤＣＩによってスケジュールされたアップリンク／ダウンリンクデータを受信する場合、繰り返し伝送回数は４であり、端末がサービスを識別するためのドメインがｅＭＢＢであるＤＣＩによってスケジュールされたアップリンク／ダウンリンクデータを受信する場合、繰り返し伝送回数は２である。
【０１５５】
本出願の実施例はさらにネットワーク機器を提供する。図５は本出願の実施例によるネットワーク機器の構成構造図１である。図５に示すように、前記ネットワーク機器は、論理チャネルと物理層サービス識別子との第１のマッピング関係を構成し、又は論理チャネルグループと物理層サービス識別子との第２のマッピング関係を構成するように構成される第１の構成ユニット５１を備える。
【０１５６】
本出願の１つの選択可能な実施例では、前記ネットワーク機器は、さらに、
前記第１のマッピング関係に応じてデータの所在する論理チャネルに対応する物理層サービス識別子を決定し、又は、前記第２のマッピング関係に応じてデータの所在する論理チャネルグループに対応する物理層サービス識別子を決定するように構成される第１の決定ユニット５２と、
前記物理層サービス識別子に対応する第１のダウンリンク制御情報に基づいて前記データをスケジューリングするように構成される第１のスケジューリングユニット５３と、を備える。
【０１５７】
本実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【０１５８】
一例として、異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる。
【０１５９】
本出願の１つの選択可能な実施例では、図６に示すように、前記ネットワーク機器は、さらに前記第１のマッピング関係及び／又は前記第２のマッピング関係を端末に送信するように構成される第１の送信ユニット５４を備える。
【０１６０】
本出願の１つの選択可能な実施例では、図６に示すように、前記ネットワーク機器はさらに第１の送信ユニットを備え、
前記第１の構成ユニット５１は、少なくとも１グループの集約係数パラメータを構成するように構成され、前記集約係数がアップリンクデータ／ダウンリンクデータの繰り返し伝送回数を特徴付け、
前記第１の送信ユニット５４は、前記少なくとも１グループの集約係数パラメータを端末に送信するように構成される。
【０１６１】
本出願の１つの選択可能な実施例では、前記第１の構成ユニット５１は、さらに物理層サービス識別子と集約係数パラメータとの第３のマッピング関係を構成し、又は物理層サービス識別子グループと集約係数パラメータとの第４のマッピング関係を構成するように構成され、ここで、前記物理層サービス識別子グループが少なくとも１つの物理層サービス識別子を含む。
【０１６２】
１つの実施形態として、前記第１の構成ユニット５１は、予め定義された方式で物理層サービス識別子と集約係数パラメータとの第３のマッピング関係を構成し、又は予め定義された方式で物理層サービス識別子グループと集約係数パラメータとの第４のマッピング関係を構成するように構成される。
【０１６３】
本出願の実施例では、前記ネットワーク機器での第１の構成ユニット５１、第１の決定ユニット５２と第１のスケジューリングユニット５３は、全て実際の応用において前記ネットワーク機器での中央処理ユニット（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）、マイクロコントローラーユニット（ＭＣＵ：Ｍｉｃｒｏｃｏｎｔｒｏｌｌｅｒ  Ｕｎｉｔ）又はフィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）によって実現されてもよく、前記ネットワーク機器での第１の送信ユニット５４は、実際の応用において通信モジュール（基本的な通信スイート、オペレーティングシステム、通信モジュール、標準化されたインターフェース及びプロトコルなどを含む）及びランシーバアンテナによって実現されてもよい。
【０１６４】
本出願の実施例はさらに、メモリと、プロセッサと、メモリに記憶されかつプロセッサで実行可能なコンピュータプログラムと、を備え、前記プロセッサが前記プログラムを実行すると本出願の実施例に記載のネットワーク機器に応用されるデータスケジューリング方法のステップを実現するネットワーク機器を提供する。
【０１６５】
説明すべきこととして、上記実施例によって提供されるネットワーク機器は、データスケジューリングを行う時に、上記各プログラムモジュールの区分のみを例として説明するが、実際の応用において、上記処理割り当ては、ニーズに応じて異なるプログラムモジュールによって完了されてもよく、即ち上記の全部又は一部の処理は、ネットワーク機器の内部構造を異なるプログラムモジュールに分けて完了されてもよい。
【０１６６】
また、上記実施例によって提供されるネットワーク機器は、データスケジューリング方法の実施例と同じ概念に属し、その具体的な実施プロセスについては、方法の実施例に示すとおりであるため、ここでは説明を省略する。
【０１６７】
本出願の実施例はさらにネットワーク機器を提供する。図７は本出願の実施例による別のネットワーク機器の構成構造図１である。図７に示すように、前記ネットワーク機器は、物理層サービス識別子と集約係数パラメータとの第３のマッピング関係を構成するように構成され、又は物理層サービス識別子グループと集約係数パラメータとの第４のマッピング関係を構成するように構成される第２の構成ユニットを備え、
ここで、前記集約係数パラメータは、アップリンクデータ／ダウンリンクデータの繰り返し伝送回数を特徴付け、前記物理層サービス識別子グループは、少なくとも１つの物理層サービス識別子を含む。
【０１６８】
本実施形態では、前記第２の構成ユニット６１は、予め定義された方式で物理層サービス識別子と集約係数パラメータとの第３のマッピング関係を構成し、又は予め定義された方式で物理層サービス識別子グループと集約係数パラメータとの第４のマッピング関係を構成するように構成される。
【０１６９】
本出願の１つの選択可能な実施例では、前記ネットワーク機器は、さらに送信ユニットを備え、
前記第２の構成ユニット６１は、さらに、物理層サービス識別子と集約係数パラメータとの第３のマッピング関係を構成し、又は物理層サービス識別子グループと集約係数パラメータとの第４のマッピング関係を構成する前に、少なくとも１グループの集約係数パラメータを構成するように構成され、
前記第２の送信ユニットは、前記少なくとも１グループの集約係数パラメータを端末に送信するように構成される。
【０１７０】
本出願の１つの選択可能な実施例では、前記第２の構成ユニット６１は、さらに、論理チャネルと物理層サービス識別子との第１のマッピング関係を構成するように構成され、又は論理チャネルグループと物理層サービス識別子との第２のマッピング関係を構成するように構成される。
【０１７１】
本出願の１つの選択可能な実施例では、図８に示すように、前記ネットワーク機器は、さらに、
前記第１のマッピング関係に応じてデータの所在する論理チャネルに対応する物理層サービス識別子を決定し、又は、前記第２のマッピング関係に応じてデータの所在する論理チャネルグループに対応する物理層サービス識別子を決定するように構成される第２の決定ユニット６２と、
前記物理層サービス識別子に対応する第１のダウンリンク制御情報に基づいて前記データをスケジューリングするように構成される第２のスケジューリングユニット６３と、を備える。
【０１７２】
本実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【０１７３】
ここで、異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる。
【０１７４】
本出願の１つの選択可能な実施例では、前記ネットワーク機器は、さらに、前記第１のマッピング関係及び／又は前記第２のマッピング関係を端末に送信するように構成される第２の送信ユニットを備える。
【０１７５】
本出願の実施例では、前記ネットワーク機器での第２の構成ユニット６１、第２の決定ユニット６２と第２のスケジューリングユニット６３は、全て実際の応用において前記ネットワーク機器でのＣＰＵ、ＤＳＰ、ＭＣＵ又はＦＰＧＡによって実現されてもよく、前記ネットワーク機器での第２の送信ユニットは、実際の応用において通信モジュール（基本的な通信スイート、オペレーティングシステム、通信モジュール、標準化されたインターフェース及びプロトコルなどを含む）及びランシーバアンテナによって実現されてもよい。
【０１７６】
本出願の実施例はさらに、メモリと、プロセッサと、メモリに記憶されかつプロセッサで実行可能なコンピュータプログラムと、を備え、前記プロセッサが前記プログラムを実行すると本出願の実施例に記載のネットワーク機器に応用されるデータ伝送方法のステップを実現するネットワーク機器を提供する。
【０１７７】
説明すべきこととして、上記実施例によって提供されるネットワーク機器は、データ伝送を行う時に、上記各プログラムモジュールの区分のみを例として説明するが、実際の応用において、上記処理割り当ては、ニーズに応じて異なるプログラムモジュールによって完了されてもよく、即ち上記の全部又は一部の処理は、ネットワーク機器の内部構造を異なるプログラムモジュールに分けて完了されてもよい。また、上記実施例によって提供されるネットワーク機器は、データ伝送方法の実施例と同じ概念に属し、その具体的な実施プロセスについては、方法の実施例に示すとおりであるため、ここでは説明を省略する。
【０１７８】
本出願の実施例はさらに端末を提供する。図９は本出願の実施例による端末の構成構造図１である。図９に示すように、前記端末は、論理チャネルと物理層サービス識別子との第１のマッピング関係を構成し、又は論理チャネルグループと物理層サービス識別子との第２のマッピング関係を構成するように構成される第３の構成ユニット７１を備える。
【０１７９】
本出願の１つの選択可能な実施例では、前記端末は、さらに、
受信された第１のダウンリンク制御情報に基づいて対応する第１の物理層サービス識別子を決定するように構成される第３の決定ユニット７２と、
前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングするように構成される第１のデータマッピングユニット７３と、を備える。
【０１８０】
本実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【０１８１】
ここで、異なる論理チャネル又は異なる論理チャネルグループは、ダウンリンク制御情報をスクランブルするための異なるＲＮＴＩに対応し、
異なる論理チャネル又は異なる論理チャネルグループに対応するダウンリンク制御情報フォーマットは異なり、
異なる論理チャネル又は異なる論理チャネルグループに対応するダウンリンク制御情報によって搬送されるコンテンツは異なる。
【０１８２】
１つの実施形態として、前記第３の構成ユニット７１は、予め約束された方式に基づき、前記端末のために論理チャネルと物理層サービス識別子との第１のマッピング関係を構成し、又は予め約束された方式に基づき、前記端末のために論理チャネルグループと物理層サービス識別子との第２のマッピング関係を構成するように構成される。
【０１８３】
別の実施形態では、前記第３の構成ユニット７１は、ネットワーク機器から送信された第１のマッピング関係を受信するように構成され、又はネットワーク機器から送信された第２のマッピング関係を受信するように構成される。
【０１８４】
本出願の１つの選択可能な実施例では、前記端末は、さらに、前記ネットワーク機器から送信された少なくとも１グループの集約係数パラメータを構成するように構成され、前記集約係数パラメータがアップリンクデータ／ダウンリンクデータの繰り返し伝送回数を特徴付ける第１の伝送ユニットを備える。
【０１８５】
本出願の１つの選択可能な実施例では、前記第３の構成ユニット７１は、さらに物理層サービス識別子と集約係数パラメータとの第３のマッピング関係を構成するように構成され、又は物理層サービス識別子グループと集約係数パラメータとの第４のマッピング関係を構成するように構成され、ここで、前記物理層サービス識別子グループが少なくとも１つの物理層サービス識別子を含む。
【０１８６】
ここで、１つの実施形態として、前記第３の構成ユニット７１は、予め定義された方式で物理層サービス識別子と集約係数パラメータとの第３のマッピング関係を構成し、又は予め定義された方式で物理層サービス識別子グループと集約係数パラメータとの第４のマッピング関係を構成するように構成される。
【０１８７】
本出願の１つの選択可能な実施例では、図１０に示すように、前記端末は、さらに、
受信された第２のダウンリンク制御情報に基づいて対応する第２の物理層サービス識別子を決定し、前記第３のマッピング関係又は前記第４のマッピング関係に応じて前記第２の物理層サービス識別子に対応する第１の集約係数パラメータを決定するように構成される第３の決定ユニット７２と、
前記第１の集約係数パラメータに基づいてデータを伝送するように構成される第１の伝送ユニット７１と、を備える。
【０１８８】
本実施例では、異なる集約係数パラメータは、ダウンリンク制御情報をスクランブルするための異なるＲＮＴＩに対応し、
異なる集約係数パラメータに対応するダウンリンク制御情報フォーマットは異なり、
異なる集約係数パラメータに対応するダウンリンク制御情報によって搬送されるコンテンツは異なる。
【０１８９】
本出願の実施例では、前記端末での第３の構成ユニット７１、第３の決定ユニット７２と第１のデータマッピングユニット７３は、全て実際の応用において前記端末でのＣＰＵ、ＤＳＰ、ＭＣＵ又はＦＰＧＡによって実現されてもよく、前記ネットワーク機器での第１の伝送ユニット７４は、実際の応用において通信モジュール（基本的な通信スイート、オペレーティングシステム、通信モジュール、標準化されたインターフェース及びプロトコルなどを含む）及びランシーバアンテナによって実現されてもよい。
【０１９０】
本出願の実施例はさらに、メモリと、プロセッサと、メモリに記憶されかつプロセッサで実行可能なコンピュータプログラムと、を備え、前記プロセッサが前記プログラムを実行すると本出願の実施例に記載の端末に応用されるデータスケジューリング方法のステップを実現する端末を提供する。
【０１９１】
説明すべきこととして、上記実施例によって提供される端末は、データスケジューリングを行う時に、上記各プログラムモジュールの区分のみを例として説明するが、実際の応用において、上記処理割り当ては、ニーズに応じて異なるプログラムモジュールによって完了されてもよく、即ち上記の全部又は一部の処理は、端末の内部構造を異なるプログラムモジュールに分けて完了されてもよい。また、上記実施例によって提供される端末は、データスケジューリング方法の実施例と同じ概念に属し、その具体的な実施プロセスについては、方法の実施例に示すとおりであるため、ここでは説明を省略する。
【０１９２】
本出願の実施例はさらに端末を提供する。図１１は本出願の実施例の別の端末の構成構造図１である。図１１に示すように、前記端末は、物理層サービス識別子と集約係数パラメータとの第３のマッピング関係を構成し、又は機器が物理層サービス識別子グループと集約係数パラメータとの第４のマッピング関係を構成するように構成され、ここで、前記集約係数パラメータがアップリンクデータ／ダウンリンクデータの繰り返し伝送回数を特徴付け、前記物理層サービス識別子グループが少なくとも１つの物理層サービス識別子を含む第４の構成ユニット８１を備える。
【０１９３】
１つの実施形態として、前記第４の構成ユニット８１は、予め定義された方式で物理層サービス識別子と集約係数パラメータとの第３のマッピング関係を構成し、又は予め定義された方式で物理層サービス識別子グループと集約係数パラメータとの第４のマッピング関係を構成するように構成される。
【０１９４】
本出願の１つの選択可能な実施例では、前記端末は、さらに、前記第４の構成ユニット８１が物理層サービス識別子と集約係数パラメータとの第３のマッピング関係を構成し、又は物理層サービス識別子グループと集約係数パラメータとの第４のマッピング関係を構成する前に、前記ネットワーク機器から送信された少なくとも１グループの集約係数パラメータを受信するように構成される第２の伝送ユニットを備える。
【０１９５】
本出願の１つの選択可能な実施例では、前記端末は、さらに、
受信された第２のダウンリンク制御情報に基づいて対応する第２の物理層サービス識別子を決定し、前記第３のマッピング関係又は前記第４のマッピング関係に応じて前記第２の物理層サービス識別子に対応する第１の集約係数パラメータを決定するように構成される第４の決定ユニット８２と、
前記第１の集約係数パラメータに基づいてデータを伝送するように構成される第２の伝送ユニット８３と、を備える。
【０１９６】
本実施例では、前記物理層サービス識別子は、ダウンリンク制御情報をスクランブルするためのＲＮＴＩ、ダウンリンク制御情報フォーマット、ダウンリンク制御情報によって搬送されるコンテンツを含む。
【０１９７】
ここで、異なる集約係数パラメータは、ダウンリンク制御情報をスクランブルするための異なるＲＮＴＩに対応し、
異なる集約係数パラメータに対応するダウンリンク制御情報フォーマットは異なり、
異なる集約係数パラメータに対応するダウンリンク制御情報によって搬送されるコンテンツは異なる。
【０１９８】
本出願の１つの選択可能な実施例では、前記第４の構成ユニット８１は、さらに、論理チャネルと物理層サービス識別子との第１のマッピング関係を構成するように構成され、又は論理チャネルグループと物理層サービス識別子との第２のマッピング関係を構成するように構成される。
【０１９９】
本出願の１つの選択可能な実施例では、図１２に示すように、前記端末は、さらに、
受信された第１のダウンリンク制御情報に基づいて対応する第１の物理層サービス識別子を決定するように構成される第４の決定ユニット８２と、
前記第１のマッピング関係に応じてデータを前記第１の物理層サービス識別子に対応する論理チャネルにマッピングし、又は前記第２のマッピング関係に応じてデータを前記第１の物理層サービス識別子に対応する論理チャネルグループにマッピングするように構成される第２のデータマッピングユニット８４と、を備える。
【０２００】
本実施例では、異なる論理チャネル又は異なる論理チャネルグループは、ダウンリンク制御情報をスクランブルするための異なるＲＮＴＩに対応し、
異なる論理チャネル又は異なる論理チャネルグループに対応するダウンリンク制御情報フォーマットは異なり、
異なる論理チャネル又は異なる論理チャネルグループに対応するダウンリンク制御情報によって搬送されるコンテンツは異なる。
【０２０１】
１つの実施形態として、前記第４の構成ユニット８１は、予め約束された方式に基づき、前記端末のために論理チャネルと物理層サービス識別子との第１のマッピング関係を構成し、又は予め約束された方式に基づき、前記端末のために論理チャネルグループと物理層サービス識別子との第２のマッピング関係を構成するように構成される。
【０２０２】
別の実施形態では、前記第４の構成ユニット８１は、さらにネットワーク機器から送信された第１のマッピング関係を受信するように構成され、又はネットワーク機器から送信された第２のマッピング関係を受信するように構成される。
【０２０３】
本出願の実施例では、前記端末での第４の構成ユニット８１、第４の決定ユニット８２と第２のデータマッピングユニット８４は、全て実際の応用において前記端末でのＣＰＵ、ＤＳＰ、ＭＣＵ又はＦＰＧＡによって実現されてもよく、前記ネットワーク機器での第２の伝送ユニット８３は、実際の応用において通信モジュール（基本的な通信スイート、オペレーティングシステム、通信モジュール、標準化されたインターフェース及びプロトコルなどを含む）及びランシーバアンテナによって実現されてもよい。
【０２０４】
本出願の実施例はさらに、メモリと、プロセッサと、メモリに記憶されかつプロセッサで実行可能なコンピュータプログラムと、を備え、前記プロセッサが前記プログラムを実行すると本出願の実施例に記載の端末に応用されるデータ伝送方法のステップを実現する端末を提供する。
【０２０５】
説明すべきこととして、上記実施例によって提供される端末は、データ伝送を行う時に、上記各プログラムモジュールの区分のみを例として説明するが、実際の応用において、上記処理割り当ては、ニーズに応じて異なるプログラムモジュールによって完了されてもよく、即ち上記の全部又は一部の処理は、端末の内部構造を異なるプログラムモジュールに分けて完了されてもよい。また、上記実施例によって提供される端末は、データスケジューリング方法の実施例と同じ概念に属し、その具体的な実施プロセスについては、方法の実施例に示すとおりであるため、ここでは説明を省略する。
【０２０６】
本実施例では、メモリが揮発性メモリ又は不揮発性メモリであってもよいし、揮発性メモリ及び不揮発性メモリの両方を含むことができることは理解可能である。ここで、不揮発性メモリは、読み取り専用メモリ（ＲＯＭ：Ｒｅａｄ  Ｏｎｌｙ  Ｍｅｍｏｒｙ）、プログラマブル読み取り専用メモリ（ＰＲＯＭ：Ｐｒｏｇｒａｍｍａｂｌｅ  Ｒｅａｄ−Ｏｎｌｙ  Ｍｅｍｏｒｙ）、消去可能プログラマブル読み取り専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、電気的消去可能プログラマブル読み取り専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気ランダムアクセスメモリ（ＦＲＡＭ（登録商標）：ｆｅｒｒｏｍａｇｎｅｔｉｃ  ｒａｎｄｏｍ  ａｃｃｅｓｓ  ｍｅｍｏｒｙ）、フラッシュメモリ（Ｆｌａｓｈ  Ｍｅｍｏｒｙ）、磁気表面メモリ、光ディスク、又は読み取り専用光ディスク（ＣＤ−ＲＯＭ：Ｃｏｍｐａｃｔ  Ｄｉｓｃ  Ｒｅａｄ−Ｏｎｌｙ  Ｍｅｍｏｒｙ）であってもよく、磁気表面メモリは、磁気ディスクメモリ又は磁気テープメモリであってもよい。揮発性メモリは、外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは、利用可能であり、例えばスタティックランダムアクセスメモリ（ＳＲＡＭ：Ｓｔａｔｉｃ  Ｒａｎｄｏｍ  Ａｃｃｅｓｓ  Ｍｅｍｏｒｙ）、同期静的ランダムアクセスメモリ（ＳＳＲＡＭ：Ｓｙｎｃｈｒｏｎｏｕｓ  Ｓｔａｔｉｃ  Ｒａｎｄｏｍ  Ａｃｃｅｓｓ  Ｍｅｍｏｒｙ）、動的ランダムアクセスメモリ（ＤＲＡＭ：Ｓｙｎｃｈｒｏｎｏｕｓ  Ｓｔａｔｉｃ  Ｒａｎｄｏｍ  Ａｃｃｅｓｓ  Ｍｅｍｏｒｙ）、同期動的ランダムアクセスメモリ（ＳＤＲＡＭ：Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレート同期動的ランダムアクセスメモリ（ＤＤＲＳＤＲＡＭ：Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、強化型同期動的ランダムアクセスメモリ（ＥＳＤＲＡＭ：Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、同期リンク動的ランダムアクセスメモリ（ＳＬＤＲＡＭ：ＳｙｎｃＬｉｎｋ  Ｄｙｎａｍｉｃ  Ｒａｎｄｏｍ  Ａｃｃｅｓｓ  Ｍｅｍｏｒｙ）、直接ラムバスランダムアクセスメモリ（ＤＲＲＡＭ：Ｄｉｒｅｃｔ  Ｒａｍｂｕｓ  Ｒａｎｄｏｍ  Ａｃｃｅｓｓ  Ｍｅｍｏｒｙ）であってもよい。本出願の実施例に記載されるメモリは、これらと任意の他の適切なタイプのメモリを含むことを図るがこれらに限定されない。
【０２０７】
本実施例では、上記の本出願の実施例で開示される方法は、プロセッサに応用されてもよく、又はプロセッサによって実現されもよいと理解できる。プロセッサは信号処理機能を有する集積回路チップであってもよい。実施プロセスでは、上記方法の各ステップは、プロセッサ内のハードウェアの集積論理回路又はソフトウェアの形の命令によって完了されてもよい。上記プロセッサは、汎用プロセッサ、ＤＳＰ、又は他のプログラマブル論理デバイス、ディスクリートゲート又はトランジスタ論理デバイス、ディスクリートハードウェアコンポーネントなどであってもよい。プロセッサは、本出願の実施例で開示される各方法、ステップ及び論理ブロック図を実現又は実行することができる。汎用プロセッサは、マイクロプロセッサ又はいずれかの従来のプロセッサなどであってもよい。本出願の実施例と組み合わせて開示される方法のステップは、ハードウェア復号プロセッサによって実行されて完了され、又は復号プロセッサにおけるハードウェア及びソフトウェアモジュールの組み合わせによって実行されて完了されるように直接具現化されてもよい。
【０２０８】
ソフトウェアモジュールは、記憶媒体に位置してもよく、当該記憶媒体はメモリに位置し、プロセッサはメモリ内の情報を読み取り、そのハードウェアと組み合わせて上記方法のステップを完了する。
【０２０９】
本出願の実施例によるコンピュータ可読記憶媒体は、コンピュータプログラムを記憶しており、当該プログラムがプロセッサに実行されると本出願の実施例で記載される、ネットワーク機器に応用されるデータスケジューリング方法のステップを実現し、又は、当該プログラムがプロセッサに実行されると本出願の実施例で記載される、端末に応用されるデータスケジューリング方法のステップを実現し、又は、当該プログラムがプロセッサに実行されると本出願の実施例で記載される、ネットワーク機器に応用されるデータ伝送方法のステップを実現し、又は、当該プログラムがプロセッサに実行されると本出願の実施例で記載される、端末に応用されるデータ伝送方法のステップを実現する。
【０２１０】
本出願が提供するいくつかの実施例では、開示される機器及び方法は、他の方式により実現されてもよいと理解すべきである。上述した装置の実施例は例示的なものだけであり、例えば、前記ユニットの区分は、論理機能的区分だけであり、実際に実施する時に他の区分方式もあり得て、例えば複数のユニット又はコンポーネントは組み合わせられてもよく又は別のシステムに統合されてもよく、又はいくつかの特徴は無視されてもよく、又は実行されなくてもよい。また、示されるか、議論される各コンポーネントの間の相互結合、又は直接結合、又は通信接続はいくつかのインターフェース、装置又はユニットを介する間接的結合又は通信接続であってもよいし、電気的、機械的又は他の形態であってもよい。
【０２１１】
分離部材として説明された上記ユニットは、物理的に分離するものであってもよく又は物理的に分離するものでなくてもよく、ユニットとして表示された部材は物理的ユニットであってもよく又は物理的ユニットでなくてもよく、即ち１つの箇所に位置してもよいし、複数のネットワークユニットに分布してもよく、実際のニーズに応じてその中の一部又は全部のユニットを選択して本実施例の解決策の目的を達成することができる。
【０２１２】
また、本出願の各実施例における各機能ユニットは、全て１つの処理ユニットに統合されてもよいし、個々のユニットは個別に１つのユニットとして機能してもよく、２つ又は２つ以上のユニットは１つのユニットに統合されてもよく、上記の統合されたユニットは、ハードウェアの形で実現されてもよいし、ハードウェアとソフトウェア機能の組み合わせの形で実現されてもよい。
【０２１３】
当業者は、上記方法の実施例の全部又は一部のステップがプログラムで関連するハードウェアを指令することにより完了されてもよいことを理解でき、前記プログラムは、コンピュータ可読記憶媒体に記憶されてもよく、当該プログラムが実行される場合、上記方法の実施例のステップが実行されるが、前記記憶媒体は、移動記憶デバイス、ＲＯＭ、ＲＡＭ、磁気ディスク又は光ディスク等のプログラムコードを記憶できる様々な媒体を含む。
【０２１４】
又は、本出願では上記の統合されたユニットは、ソフトウェア機能モジュールの形で実現され且つ独立した製品として販売又は使用される時に、１つのコンピュータ可読記憶媒体に記憶されてもよい。このような理解に基づき、本出願の実施例における技術的解決策は、本質的に又は従来技術に寄与する部分がソフトウェア製品の形で具現化されてもよく、当該コンピュータソフトウェア製品が１つの記憶媒体に記憶され、コンピュータ機器（パーソナルコンピュータ、サーバ、又はネットワークデバイス等であってもよい）に本出願の様々な実施例に記載される方法の全て又は一部のステップを実行させるためのいくつかの命令を含む。前記記憶媒体は、移動記憶デバイス、ＲＯＭ、ＲＡＭ、磁気ディスク又は光ディスク等のプログラムコードを記憶できる様々な媒体を含む。
【０２１５】
上記は、本出願の具体的な実施形態だけであるが、本出願の保護範囲は、これに制限されず、当業者が本出願で開示された技術範囲内で容易に想到し得る変化又は入れ替わりは、全て本出願の保護範囲以内に含まれるべきである。従って、本出願の保護範囲は前記請求項の保護範囲に準拠するべきである。
【図１】
2021533655.tif 000003
【図２】
2021533655.tif 000004
【図３】
2021533655.tif 000005
【図４】
2021533655.tif 000006
【図５】
2021533655.tif 000007
【図６】
2021533655.tif 000008
【図７】
2021533655.tif 000009
【図８】
2021533655.tif 000010
【図９】
2021533655.tif 000011
【図１０】
2021533655.tif 000012
【図１１】
2021533655.tif 000013
【図１２】
2021533655.tif 000014
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
ネットワーク機器が論理チャネルと物理層サービス識別子との第１のマッピング関係を構成し、又は論理チャネルグループと物理層サービス識別子との第２のマッピング関係を構成することを含み、
前記物理層サービス識別子は、ダウンリンク制御情報によって搬送されるコンテンツを含むデータスケジューリング方法。
【請求項２】
前記ネットワーク機器が前記第１のマッピング関係に応じてデータの所在する論理チャネルに対応する物理層サービス識別子を決定し、又は、前記ネットワーク機器が前記第２のマッピング関係に応じてデータの所在する論理チャネルグループに対応する物理層サービス識別子を決定することと、
前記ネットワーク機器が前記物理層サービス識別子に対応する第１のダウンリンク制御情報に基づいて前記データをスケジューリングすることと、をさらに含む
請求項１に記載のデータスケジューリング方法。
【請求項３】
前記ネットワーク機器が前記第１のマッピング関係及び／又は前記第２のマッピング関係を端末に送信することをさらに含む
請求項１に記載のデータスケジューリング方法。
【請求項４】
前記ネットワーク機器が少なくとも１グループの集約係数パラメータを構成することであって、前記集約係数パラメータがアップリンクデータ／ダウンリンクデータの繰り返し伝送回数を特徴付ける、ことと、
前記ネットワーク機器が前記少なくとも１グループの集約係数パラメータを端末に送信することと、をさらに含む
請求項１に記載のデータスケジューリング方法。
【請求項５】
前記ネットワーク機器が物理層サービス識別子と集約係数パラメータとの第３のマッピング関係を構成すること、又は、
前記ネットワーク機器が物理層サービス識別子グループと集約係数パラメータとの第４のマッピング関係を構成することであって、前記集約係数パラメータが少なくとも１つの物理層サービス識別子を含む、ことをさらに含む
請求項４に記載のデータスケジューリング方法。
【請求項６】
前記ネットワーク機器が物理層サービス識別子と集約係数パラメータとの第３のマッピング関係を構成することは、前記ネットワーク機器が予め定義された方式で物理層サービス識別子と集約係数パラメータとの第３のマッピング関係を構成することを含み、
前記ネットワーク機器が物理層サービス識別子グループと集約係数パラメータとの第４のマッピング関係を構成することは、前記ネットワーク機器が予め定義された方式で物理層サービス識別子グループと集約係数パラメータとの第４のマッピング関係を構成することを含む
請求項５に記載のデータスケジューリング方法。
【請求項７】
端末がネットワーク機器から送信された論理チャネルと物理層サービス識別子との第１のマッピング関係を受信し、又はネットワーク機器から送信された論理チャネルグループと物理層サービス識別子との第２のマッピング関係を受信することを含み、
前記物理層サービス識別子は、ダウンリンク制御情報によって搬送されるコンテンツを含むデータスケジューリング方法。
【請求項８】
ネットワーク機器が物理層サービス識別子と集約係数パラメータとの第３のマッピング関係を構成し、又は物理層サービス識別子グループと集約係数パラメータとの第４のマッピング関係を構成することを含み、
前記集約係数パラメータは、アップリンクデータ／ダウンリンクデータの繰り返し伝送回数を特徴付け、前記物理層サービス識別子グループは、少なくとも１つの物理層サービス識別子を含み、
前記物理層サービス識別子は、ダウンリンク制御情報によって搬送されるコンテンツを含むデータ伝送方法。
【請求項９】
前記ネットワーク機器が物理層サービス識別子と集約係数パラメータとの第３のマッピング関係を構成し、又は物理層サービス識別グループと集約係数パラメータとの第４のマッピング関係を構成する前に、
前記ネットワーク機器が少なくとも１グループの集約係数パラメータを構成することと、
前記ネットワーク機器が前記少なくとも１グループの集約係数パラメータを端末に送信することと、をさらに含む
請求項８に記載のデータ伝送方法。
【請求項１０】
前記ネットワーク機器が物理層サービス識別子と集約係数パラメータとの第３のマッピング関係を構成することは、前記ネットワーク機器が予め定義された方式で物理層サービス識別子と集約係数パラメータとの第３のマッピング関係を構成することを含み、
前記ネットワーク機器が物理層サービス識別子グループと集約係数パラメータとの第４のマッピング関係を構成することは、前記ネットワーク機器が予め定義された方式で物理層サービス識別子グループと集約係数パラメータとの第４のマッピング関係を構成することを含む
請求項８に記載のデータ伝送方法。
【請求項１１】
前記ネットワーク機器が論理チャネルと物理層サービス識別子との第１のマッピング関係を構成し、又は論理チャネルグループと物理層サービス識別子との第２のマッピング関係を構成することをさらに含む
請求項８に記載のデータ伝送方法。
【請求項１２】
前記ネットワーク機器が前記第１のマッピング関係に応じてデータの所在する論理チャネルに対応する物理層サービス識別子を決定すること、又は、前記ネットワーク機器が前記第２のマッピング関係に応じてデータの所在する論理チャネルグループに対応する物理層サービス識別子を決定することと、
前記ネットワーク機器が前記物理層サービス識別子に対応する第１のダウンリンク制御情報に基づいて前記データをスケジューリングすることと、をさらに含む
請求項１１に記載のデータ伝送方法。
【請求項１３】
異なる論理チャネル又は異なる論理チャネルグループは、ダウンリンク制御情報をスクランブルするための異なるＲＮＴＩに対応し、
異なる論理チャネル又は異なる論理チャネルグループは、異なるダウンリンク制御情報フォーマットに対応し、
異なる論理チャネル又は異なる論理チャネルグループに対応するダウンリンク制御情報によって搬送されるコンテンツは異なる
請求項１２に記載のデータ伝送方法。
【請求項１４】
前記ネットワーク機器が前記第１のマッピング関係及び／又は前記第２のマッピング関係を端末に送信することをさらに含む
請求項１１又は１２に記載のデータ伝送方法。
【請求項１５】
論理チャネルと物理層サービス識別子との第１のマッピング関係を構成し、又は論理チャネルグループと物理層サービス識別子との第２のマッピング関係を構成するように構成される第１の構成ユニットを備え、
前記物理層サービス識別子は、ダウンリンク制御情報によって搬送されるコンテンツを含むネットワーク機器。
【請求項１６】
前記ネットワーク機器はさらに、
前記第１のマッピング関係に応じてデータの所在する論理チャネルに対応する物理層サービス識別子を決定し、又は、前記第２のマッピング関係に応じてデータの所在する論理チャネルグループに対応する物理層サービス識別子を決定するように構成される第１の決定ユニットと、
前記物理層サービス識別子に対応する第１のダウンリンク制御情報に基づいて前記データをスケジューリングするように構成される第１のスケジューリングユニットと、を備える
請求項１５に記載のネットワーク機器。
【請求項１７】
前記ネットワーク機器はさらに前記第１のマッピング関係及び／又は前記第２のマッピング関係を端末に送信するように構成される第１の送信ユニットを備える
請求項１５に記載のネットワーク機器。
【請求項１８】
物理層サービス識別子と集約係数パラメータとの第３のマッピング関係を構成し、又は物理層サービス識別子グループと集約係数パラメータとの第４のマッピング関係を構成するように構成される第２の構成ユニットと、を備え、
前記集約係数パラメータは、アップリンクデータ／ダウンリンクデータの繰り返し伝送回数を特徴付け、前記物理層サービス識別子グループは、少なくとも１つの物理層サービス識別子を含み、
前記物理層サービス識別子は、ダウンリンク制御情報によって搬送されるコンテンツを含むネットワーク機器。
【請求項１９】
前記ネットワーク機器はさらに第２の送信ユニットを備え、
前記第２の構成ユニットは、さらに前記物理層サービス識別子と集約係数パラメータとの第３のマッピング関係を構成し、又は物理層サービス識別子グループと集約係数パラメータとの第４のマッピング関係を構成する前に、少なくとも１グループの集約係数パラメータを構成するように構成され、
前記第２の送信ユニットは、前記少なくとも１グループの集約係数パラメータを端末に送信するように構成される
請求項１８に記載のネットワーク機器。
【請求項２０】
ネットワーク機器から送信された論理チャネルと物理層サービス識別子との第１のマッピング関係を受信し、又はネットワーク機器から送信された論理チャネルグループと物理層サービス識別子との第２のマッピング関係を受信するように構成される第３の構成ユニットを備え、
前記物理層サービス識別子は、ダウンリンク制御情報によって搬送されるコンテンツを含む端末。
【国際調査報告】
2021533655.tif 000015
2021533655.tif 000016
2021533655.tif 000017
2021533655.tif 000018